(57)【要約】【課題】遊技球の作用によって機械的に作動する可変入賞装置を備え、当該可変入賞装置への遊技球の入賞と遊技価値の付与とのバランスを考慮しやすい遊技機を提供する。【解決手段】パチンコ機１０には遊技盤が設けられている。遊技盤には、可変入賞装置ユニット、第２可変入賞装置等が設けられている。そして、第２可変入賞装置は、閉状態において、可変部材４６７に対して、可変入賞装置ユニットの特定領域へ入賞した遊技球が接触することにより直接的に外力が加えられ、又は、前記特定領域へ入賞した遊技球が接触することにより作動する所定の駆動機構によって間接的に外力が加えられた場合に限り、開状態となる。【選択図】      図１
2005334211.tif 000002
【特許請求の範囲】
【請求項１】
遊技球を発射する発射手段と、
発射された遊技球が案内される所定の遊技領域を有し、略鉛直方向に沿って配された遊技盤と、
遊技球が入賞可能な特定入賞手段と、
遊技球が入賞困難な閉位置と、遊技球が入賞容易な開位置とに回動変位可能な一対の開閉部材を具備した可変入賞手段とを備え、
前記可変入賞手段は、
前記一対の開閉部材間を通って入賞する遊技球を通過させる球案内通路と、
前記球案内通路を通過する遊技球が接触可能な所定数の接触部を備え、回転可能に設けられるとともに、前記開閉部材を前記閉位置とする特定停止位置と、前記開閉部材を前記開位置とする所定数の非特定停止位置とに停止可能なように構成され、前記開閉部材の開閉を制御する回転体と、
所定の被作用部に対して、前記特定入賞手段へ入賞した遊技球が接触することにより直接的に外力が加えられ、又は、前記特定入賞手段へ入賞した遊技球が接触することにより物理的に作動する所定の駆動手段を介して間接的に外力が加えられることに基づき状態変化し、少なくとも前記特定停止位置で停止している前記回転体に対し当該回転体を回動させるよう作用する可変手段とを備え、
前記回転体が前記所定数の非特定停止位置のいずれかで停止し、前記一対の開閉部材が前記開位置にある場合には、前記所定数の接触部のうちの１つが前記球案内通路を通過する遊技球と接触可能な位置に配置され、前記一対の開閉部材間を通って入賞した遊技球が前記球案内通路を通過するとともに、前記接触部に接触し、前記回転体が回動するよう構成され、
前記回転体が前記特定停止位置で停止し、前記一対の開閉部材が前記閉位置にある場合には、前記所定数の接触部が前記球案内通路を通過する遊技球と接触不能な位置に配置され、前記一対の開閉部材間を通って入賞した遊技球が前記接触部に接触することなく、前記球案内通路を通過し、前記回転体が回動することなく前記特定停止位置で停止した状態を維持し、前記一対の開閉部材が前記閉位置にある状態を維持するように構成されていることを特徴とする遊技機。
【発明の詳細な説明】
【技術分野】
【０００１】
本発明は、パチンコ機等の遊技機に関するものである。
【背景技術】
【０００２】
従来、遊技機の一種として、所定の遊技領域へ案内される遊技球が所定の入賞装置へ入賞することに起因して、機械的に、すなわち前記入賞装置へ入賞した遊技球が直接的に作用して、又は、前記入賞した遊技球の作用によって所定の駆動機構が作動して、遊技球が入賞しやすい開状態となる可変入賞装置を備えた遊技機がある（例えば、特許文献１参照。）。この種の遊技機においては、可変入賞装置等へ遊技球が入賞することに起因して、遊技者に対して所定個数の賞球（遊技価値）が付与される。
【０００３】
さらに、前記可変入賞装置は、自身への遊技球の入賞によっても開閉するように構成されている。例えば、遊技球の入賞困難な閉状態において遊技球が入賞することにより開状態となり、開状態において１つ又は所定個数の遊技球が入賞することにより閉状態となるよう構成されている。
【０００４】
ところが、前記可変入賞装置の開状態において、当該可変入賞装置へ１つ又は所定個数以上の遊技球が連続して入球してしまった場合には、閉状態となるのも束の間、再び１つ又は所定個数の遊技球が入賞するまで開状態となる場合がある。例えば、３つの遊技球が入賞することにより閉状態となるよう構成されている場合には、３つ目の遊技球が入賞するのとほぼ同時に４つ目の遊技球が入賞すると、再び開状態となる。
【０００５】
一般的に、遊技機メーカーは、入賞装置への入賞割合や賞球数等を考慮して、入賞装置や当該入賞装置へ遊技球を案内する釘等の案内部材の配設位置を緻密に設定している。そのため、上述した場合には、遊技機メーカーが意図した賞球数よりも多くの賞球が遊技者に対して付与されてしまうといったように、入賞装置への入賞と賞球（遊技価値）の付与とのバランスがくずれてしまうおそれがある。
【０００６】
これに対し、例えばソレノイド等の電気的駆動手段により可変入賞装置の開閉動作を制御することによって、開状態における最大入賞個数（上記所定個数）を超えて可変入賞装置へ遊技球が入賞しないように、所定個数の遊技球が入賞することに基づき、又は、所定時間が経過することに基づき、可変入賞装置を閉状態とすることも考えられる。
【特許文献１】実開昭５５−１４６１８３号公報
【発明の開示】
【発明が解決しようとする課題】
【０００７】
しかしながら、ソレノイド等を使用した場合、生産コストや電力消費量が増大するおそれがある。それは、上記可変入賞装置の数が増えれば増えるほど顕著に現われる。
【０００８】
さらに、ソレノイド等を使用する場合には、可変入賞装置の開放時間の長期化による焼付き等の不具合を鑑み、開放時間を所定限度内に収めておかなければならず、遊技球が入球するまで開状態を維持することが困難となるおそれがある。従って、遊技者にとっては、折角、開状態となったにも関わらず、１つも遊技球が入球せずに賞球を得ることができないといった場合もでてくる。
【０００９】
従って、現状では、開状態において１つ又は所定個数以上の遊技球が連続して入球してしまった場合でも、連続して開状態となるような上記不具合を回避でき、かつ、ソレノイド等の電気的駆動手段を使用することなく、遊技球の作用によって機械的に作動する可変入賞装置が求められている。
【００１０】
本発明は上記事情に鑑みてなされたものであり、その目的は、遊技球の作用によって機械的に作動する可変入賞装置を備え、当該可変入賞装置への遊技球の入賞と遊技価値の付与とのバランスを考慮しやすい遊技機を提供することにある。
【課題を解決するための手段】
【００１１】
以下、上記目的等を解決するのに適した各手段につき項分けして説明する。なお、必要に応じて対応する手段に特有の作用効果等を付記する。
【００１２】
手段１．遊技球を発射する発射手段と、
発射された遊技球が案内される所定の遊技領域を有し、略鉛直方向に沿って配された遊技盤と、
遊技球が入賞可能な特定入賞手段と、
遊技球が入賞困難な閉位置と、遊技球が入賞容易な開位置とに回動変位可能な一対の開閉部材を具備した可変入賞手段とを備え、
前記可変入賞手段は、
前記一対の開閉部材間を通って入賞する遊技球を通過させる球案内通路と、
前記球案内通路を通過する遊技球が接触可能な所定数の接触部を備え、回転可能に設けられるとともに、前記開閉部材を前記閉位置とする特定停止位置と、前記開閉部材を前記開位置とする所定数の非特定停止位置とに停止可能なように構成され、前記開閉部材の開閉を制御する回転体と、
所定の被作用部に対して、前記特定入賞手段へ入賞した遊技球が接触することにより直接的に外力が加えられ、又は、前記特定入賞手段へ入賞した遊技球が接触することにより物理的に作動する所定の駆動手段を介して間接的に外力が加えられることに基づき状態変化し、少なくとも前記特定停止位置で停止している前記回転体に対し当該回転体を回動させるよう作用する可変手段とを備え、
前記回転体が前記所定数の非特定停止位置のいずれかで停止し、前記一対の開閉部材が前記開位置にある場合には、前記所定数の接触部のうちの１つが前記球案内通路を通過する遊技球と接触可能な位置に配置され、前記一対の開閉部材間を通って入賞した遊技球が前記球案内通路を通過するとともに、前記接触部に接触し、前記回転体が回動するよう構成され、
前記回転体が前記特定停止位置で停止し、前記一対の開閉部材が前記閉位置にある場合には、前記所定数の接触部が前記球案内通路を通過する遊技球と接触不能な位置に配置され、前記一対の開閉部材間を通って入賞した遊技球が前記接触部に接触することなく、前記球案内通路を通過し、前記回転体が回動することなく前記特定停止位置で停止した状態を維持し、前記一対の開閉部材が前記閉位置にある状態を維持するように構成されていることを特徴とする遊技機。
【００１３】
上記手段１によれば、回転体が特定停止位置で停止し、一対の開閉部材が閉位置にある場合には、所定数の接触部が球案内通路を通過する遊技球と接触不能な位置に配置され、一対の開閉部材間を通って入賞した遊技球が接触部に接触することなく、球案内通路を通過し、回転体が回動することなく特定停止位置で停止した状態を維持し、一対の開閉部材が閉位置にある状態を維持する。
【００１４】
従って、可変入賞手段は、回転体が少なくとも特定停止位置で停止している状態、すなわち閉状態（一対の開閉部材が閉位置にある状態）において、可変手段の被作用部に対して、特定入賞手段へ入賞した遊技球が接触することにより直接的に外力が加えられ、又は、特定入賞手段へ入賞した遊技球が接触することにより物理的に作動する所定の駆動手段によって間接的に外力が加えられた場合に限り、開状態（一対の開閉部材が開位置にある状態）となる。つまり、可変入賞手段自身への遊技球の入賞によっては閉状態から開状態とならず、前記可変入賞手段は、閉状態において自身へ遊技球が入賞した場合には、閉状態を維持するよう構成されている。
【００１５】
また、上記構成では、一旦開状態となった後、所定個数つまり所定数の接触部の数だけの遊技球が入球するまで可変入賞手段に開状態を維持させることができる。このように、可変入賞手段が、開状態において所定個数の遊技球が入賞することにより閉状態となるよう構成されている場合においては、仮に可変入賞手段の開状態において当該可変入賞手段へ所定個数以上の遊技球が連続して入球してしまったとしても、再び開状態となってしまうといった不具合を防止することができる。結果として、遊技機メーカーが意図した、遊技球の入賞と所定の遊技価値（賞球）の付与とのバランスがくずれにくくなる。
【００１６】
さらに、上記可変入賞手段は、特定入賞手段へ入賞した遊技球の作用によって機械的に作動し開状態となるように構成されているため、ソレノイド等の電気的駆動手段を使用して開閉制御する場合に比べて、生産コストや電力消費量の増大を抑制することができる。加えて、上述したように、所定個数の遊技球が入球するまで可変入賞手段が開状態を維持するように構成した場合でも、可変入賞手段の開放時間の長期化によるソレノイド等の焼付き等の不具合が発生することはない。ひいては、可変入賞手段が開状態となったにも関わらず、所定個数の遊技球が入球せずに閉状態となってしまい、遊技者が遊技価値を得ることができない等といった不具合を抑制することができる。
【００１７】
なお、以下の手段においても同様であるが、上記回転体が「前記開閉部材を前記閉位置とする」ことには、「前記開閉部材の前記開位置へ変位する動きを規制する」ことが含まれる。また、上記回転体が「前記開閉部材を前記開位置とする」ことには、「前記開閉部材の前記開位置への変位を許容する」ことが含まれる。つまり、開閉部材が閉位置において規制されており、その規制が解除され、開閉部材が自重（重心の偏り）により開位置へ変位することが許容された状態となることが含まれる。
【００１８】
また、上記「遊技球が接触することにより物理的に作動する所定の駆動手段」とは、遊技球が接触することにより、当該遊技球の位置エネルギー（重さ）や運動エネルギーを駆動力に換えて駆動する駆動手段を意味している。従って、上記「遊技球が接触することにより物理的に作動する所定の駆動手段」は、上記「遊技球が接触することにより機械的に作動する所定の駆動手段」と言い換えることができる。つまり、ソレノイド等の電気的駆動手段は除かれる。
【００１９】
また、上記可変手段は、１つの可変部材より構成されていてもよいし、もちろん連動して動く複数の可変部材より構成されていてもよい。
【００２０】
また、上記「所定数」には、「１つ」や「複数」が含まれる。従って、「所定数」が「１つ」の場合には、上記手段１は、
「遊技球を発射する発射手段と、
発射された遊技球が案内される所定の遊技領域を有し、略鉛直方向に沿って配された遊技盤と、
遊技球が入賞可能な特定入賞手段と、
遊技球が入賞困難な閉位置と、遊技球が入賞容易な開位置とに回動変位可能な一対の開閉部材を具備した可変入賞手段とを備え、
前記可変入賞手段は、
前記一対の開閉部材間を通って入賞する遊技球を通過させる球案内通路と、
前記球案内通路を通過する遊技球が接触可能な接触部を備え、回転可能に設けられるとともに、前記開閉部材を前記閉位置とする特定停止位置と、前記開閉部材を前記開位置とする非特定停止位置とに停止可能なように構成され、前記開閉部材の開閉を制御する回転体と、
所定の被作用部に対して、前記特定入賞手段へ入賞した遊技球が接触することにより直接的に外力が加えられ、又は、前記特定入賞手段へ入賞した遊技球が接触することにより物理的に作動する所定の駆動手段を介して間接的に外力が加えられることに基づき状態変化し、少なくとも前記特定停止位置で停止している前記回転体に対し当該回転体を回動させるよう作用する可変手段とを備え、
前記回転体が前記非特定停止位置で停止し、前記一対の開閉部材が前記開位置にある場合には、前記接触部が前記球案内通路を通過する遊技球と接触可能な位置に配置され、前記一対の開閉部材間を通って入賞した遊技球が前記球案内通路を通過するとともに、前記接触部に接触し、前記回転体が回動するよう構成され、
前記回転体が前記特定停止位置で停止し、前記一対の開閉部材が前記閉位置にある場合には、前記接触部が前記球案内通路を通過する遊技球と接触不能な位置に配置され、前記一対の開閉部材間を通って入賞した遊技球が前記接触部に接触することなく、前記球案内通路を通過し、前記回転体が回動することなく前記特定停止位置で停止した状態を維持し、前記一対の開閉部材が前記閉位置にある状態を維持するように構成されていることを特徴とする遊技機。」となる。
【００２１】
手段２．遊技球を発射する発射手段と、
発射された遊技球が案内される所定の遊技領域を有し、略鉛直方向に沿って配された遊技盤と、
遊技球が入賞可能な特定入賞手段と、
遊技球が入賞困難な閉位置と、遊技球が入賞容易な開位置とに回動変位可能な一対の開閉部材を具備した可変入賞手段とを備え、
前記可変入賞手段は、
前記一対の開閉部材間を通って入賞する遊技球を通過させる球案内通路と、
回転可能に設けられ、前記開閉部材の開閉を制御する回転体と、
前記回転体が前記開閉部材を前記閉位置とする特定停止位置と、前記開閉部材を前記開位置とする所定数の非特定停止位置とに順次停止しながら回動していくよう、前記回転体を前記各停止位置に停止させる停止手段と、
所定の被作用部に対して、前記特定入賞手段へ入賞した遊技球が接触することにより直接的に外力が加えられ、又は、前記特定入賞手段へ入賞した遊技球が接触することにより物理的に作動する所定の駆動手段を介して間接的に外力が加えられることに基づき状態変化し、少なくとも前記特定停止位置で停止している前記回転体に対し当該回転体を次の停止位置まで回動させるよう作用する可変手段とを備え、
前記回転体は、
前記閉位置にある前記開閉部材の前記開位置へ変位する動きを規制する規制部と、前記球案内通路を通過する遊技球が接触可能な所定数の接触部とを備え、
前記可変入賞手段は、
前記回転体が前記所定数の非特定停止位置のいずれかで停止している場合には、前記規制部が前記開閉部材の規制を解除して前記開閉部材を前記開位置とする位置に配置され、かつ、前記所定数の接触部のうちの１つが前記球案内通路を通過する遊技球と接触可能な位置に配置され、
前記一対の開閉部材が前記開位置にある状態で、当該一対の開閉部材間を通って入賞した遊技球が、前記球案内通路を通過するとともに、前記接触部に接触し、前記回転体を次の停止位置まで回動させるよう構成され、
前記回転体が前記特定停止位置で停止している場合には、前記規制部が前記開閉部材を規制する位置に配置され、かつ、前記所定数の接触部が前記球案内通路を通過する遊技球と接触不能な位置に配置され、
前記一対の開閉部材が前記閉位置にある状態で、当該一対の開閉部材間を通って遊技球が入賞した遊技球が、前記接触部に接触することなく、前記球案内通路を通過し、前記回転体が回動することなく前記特定停止位置で停止した状態を維持し、前記一対の開閉部材が前記閉位置にある状態を維持するように構成されていることを特徴とする遊技機。
【００２２】
上記手段２によれば、上記手段１と同様の作用効果が奏される。従って、上記同様に、上記「所定数」には「１つ」や「複数」が含まれ、「所定数」が「１つ」の場合には、上記手段２は、
「遊技球を発射する発射手段と、
発射された遊技球が案内される所定の遊技領域を有し、略鉛直方向に沿って配された遊技盤と、
遊技球が入賞可能な特定入賞手段と、
遊技球が入賞困難な閉位置と、遊技球が入賞容易な開位置とに回動変位可能な一対の開閉部材を具備した可変入賞手段とを備え、
前記可変入賞手段は、
前記一対の開閉部材間を通って入賞する遊技球を通過させる球案内通路と、
回転可能に設けられ、前記開閉部材の開閉を制御する回転体と、
前記回転体が前記開閉部材を前記閉位置とする特定停止位置と、前記開閉部材を前記開位置とする非特定停止位置とに順次停止しながら回動していくよう、前記回転体を前記各停止位置に停止させる停止手段と、
所定の被作用部に対して、前記特定入賞手段へ入賞した遊技球が接触することにより直接的に外力が加えられ、又は、前記特定入賞手段へ入賞した遊技球が接触することにより物理的に作動する所定の駆動手段を介して間接的に外力が加えられることに基づき状態変化し、少なくとも前記特定停止位置で停止している前記回転体に対し当該回転体を次の停止位置まで回動させるよう作用する可変手段とを備え、
前記回転体は、
前記閉位置にある前記開閉部材の前記開位置へ変位する動きを規制する規制部と、前記球案内通路を通過する遊技球が接触可能な接触部とを備え、
前記可変入賞手段は、
前記回転体が前記非特定停止位置で停止している場合には、前記規制部が前記開閉部材の規制を解除して前記開閉部材を前記開位置とする位置に配置され、かつ、前記接触部が前記球案内通路を通過する遊技球と接触可能な位置に配置され、
前記一対の開閉部材が前記開位置にある状態で、当該一対の開閉部材間を通って入賞した遊技球が、前記球案内通路を通過するとともに、前記接触部に接触し、前記回転体を次の停止位置まで回動させるよう構成され、
前記回転体が前記特定停止位置で停止している場合には、前記規制部が前記開閉部材を規制する位置に配置され、かつ、前記接触部が前記球案内通路を通過する遊技球と接触不能な位置に配置され、
前記一対の開閉部材が前記閉位置にある状態で、当該一対の開閉部材間を通って遊技球が入賞した遊技球が、前記接触部に接触することなく、前記球案内通路を通過し、前記回転体が回動することなく前記特定停止位置で停止した状態を維持し、前記一対の開閉部材が前記閉位置にある状態を維持するように構成されていることを特徴とする遊技機。」となる。
【００２３】
手段３．前記回転体が前記特定停止位置に向けて回動する際に、前記規制部が前記一対の開閉部材に対し当該開閉部材を前記閉位置に復帰させるように作用することを特徴とする手段２に記載の遊技機。
【００２４】
手段４．前記停止手段は、前記回転体に常時圧接するよう配された舌片状の弾性部材であって、
前記回転体は、その外周部の周方向に沿って、前記球案内通路を通過する遊技球が接触不能となるよう設けられた突起部と、前記所定数の接触部とが所定角度間隔で配置されるよう構成され、前記停止手段の弾性力に抗して回動できるよう構成され、前記所定数の接触部及び前記突起部が前記停止手段によって係止されることにより、前記各停止位置に停止させられるよう構成され、
前記回転体が前記特定停止位置で停止している場合には、前記接触部が前記球案内通路を通過する遊技球と接触可能となる位置と略同位置において、前記突起部が配置され、
前記回転体が前記特定停止位置から次の前記非特定停止位置に向けて回動した際には、前記突起部が前記停止手段に係止されることにより、前記回転体が前記非特定停止位置に停止させられるように構成されていることを特徴とする手段２又は３に記載の遊技機。
【００２５】
上記手段４によれば、上記突起部を備えることにより、回転体が特定停止位置から次の非特定停止位置に向けて回動した際に、回転体が非特定停止位置に停止せずに、過剰に回動してしまうことを防止することができる。結果として、回転体（接触部）を適正位置に停止させ、適正数の遊技球を入賞させることができる。
【００２６】
手段５．前記回転体の外周部の周方向に沿って、複数の前記接触部が所定角度間隔で配置されるとともに、
前記回転体の外周部の周方向において、前記所定角度間隔の２倍以上の間隔を有する前記接触部の非配置区間を設けたことを特徴とする手段１乃至４のいずれかに記載の遊技機。
【００２７】
上記手段５によれば、開状態を維持したまま、複数個の遊技球を連続して入賞させることができるとともに、回転体を停止させる際に、接触部が遊技球と接触しない位置を比較的容易に確保することができる。また、上記手段４の突起部を設ける場合には、前記非配置区間に設けることとなる。
【００２８】
手段６．前記可変手段は、前記所定数の接触部のうちの特定の接触部に作用することで前記回転体を回動させるよう構成されていることを特徴とする手段１乃至５のいずれかに記載の遊技機。
【００２９】
上記手段６によれば、可変手段が作用する被作用部を、新たに回転体に設ける必要がなく、構成の簡素化を図ることができる。なお、「所定数」が「１つ」である場合には、上記手段６は、「前記可変手段は、前記接触部に作用することで前記回転体を回動させるよう構成されていることを特徴とする手段１乃至５のいずれかに記載の遊技機。」となる。
【００３０】
手段７．複数の前記接触部を備え、
前記可変手段は、前記複数の接触部のうちの特定の接触部に作用することで前記回転体を回動させるよう構成され、
前記複数の接触部のうち前記特定の接触部を除くその他の接触部は、前記可変手段と接触不能な位置に設けられていることを特徴とする手段１乃至５のいずれかに記載の遊技機。
【００３１】
上記手段７によれば、上記手段６と同様の効果を奏するとともに、上記回転体が非特定停止位置に停止している場合において、可変手段が状態変化したとしても、可変手段が回転体に接触して当該回転体を回動させるように作用しないため、開状態においては、一対の開閉部材間から入賞した遊技球の作用によってのみ回転体が回動する。従って、開状態において、一対の開閉部材間から適正な所定個数の遊技球を入賞させることができる。可変入賞手段が開状態となったにも関わらず、所定個数の遊技球が入球せずに閉状態となってしまい、遊技者が遊技価値を得ることができない等といった不具合を抑制することができる。結果として、遊技機メーカーが意図した、遊技球の入賞と所定の遊技価値（賞球）の付与とのバランスがくずれにくくなる。
【００３２】
手段８．前記可変手段は、回動可能に設けられるとともに、前記被作用部に外力が加わることによって、第１状態から第２状態へ変化するよう構成され、自重（重心の偏り）により前記第２状態から前記第１状態へ復帰するよう構成された可変部材であることを特徴とする手段１乃至７のいずれかに記載の遊技機。
【００３３】
上記手段８によれば、構成の簡素化を図るとともに、部品点数の増加を抑えることができる。
【００３４】
手段９．前記可変手段を前記第１状態に規制するための規制手段を備え、
前記規制手段は、回動可能に設けられ、
所定の被作用部に対して、前記特定入賞手段へ入賞した遊技球が接触することにより直接的に外力が加えられ、又は、前記特定入賞手段へ入賞した遊技球が接触することにより物理的に作動する所定の駆動手段を介して間接的に外力が加えられることに基づき、第１状態から第２状態へ状態変化して前記可変手段の規制を解除し、
前記第２状態から前記第１状態へ、自重により復帰するよう構成されていることを特徴とする手段８に記載の遊技機。
【００３５】
上記手段９によれば、遊技球が被作用部に作用することにより、可変手段の規制が解除される。このような機械的な規制手段を備えることにより、上記可変入賞手段が閉状態を機械的に維持することができる。結果として、生産コストや電力消費量の増大を抑制すること等ができる。
【００３６】
以下に、上記各手段が適用される各種遊技機の基本構成を示す。
【００３７】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する球発射手段（発射モータ等）と、当該発射された遊技球を所定の遊技領域に導く球通路（レールユニットの球案内通路）と、前記遊技領域内に配置された各遊技部品（一般入賞口、可変入賞装置、作動口、可変表示ユニット等）とを備えた弾球遊技機」が挙げられる。
【００３８】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する球発射手段（発射モータ等）と、当該発射された遊技球を略鉛直方向に延びる所定の遊技領域（例えば遊技領域は遊技盤面等により構成される）に導く球通路（レールユニットの球案内通路）と、前記遊技領域内に配置された各遊技部品（一般入賞口、可変入賞装置、作動口、可変表示ユニット等）とを備え、前記遊技領域を流下する遊技球の挙動を視認可能に構成されてなる弾球遊技機。」が挙げられる。
【００３９】
Ｃ．上記各手段における前記遊技機は、遊技領域の拡張されてなる弾球遊技機であること。より詳しい態様例としては、「後述する発明の実施形態に記載された従来に比べて遊技領域を拡張するための技術的構成のうち少なくとも１つを含んでなる弾球遊技機。」が挙げられる。
【００４０】
Ｄ．上記各手段における前記遊技機、又は、上記各弾球遊技機は、パチンコ機又はパチンコ機に準ずる遊技機であること。
【発明を実施するための最良の形態】
【００４１】
以下、パチンコ遊技機（以下、単に「パチンコ機」という）の一実施の形態を、図面に基づいて詳細に説明する。図１はパチンコ機１０の正面図であり、図２は、後述する内枠１２に対して前面枠セット１４を開放した状態を示す斜視図である。但し、図２では便宜上、後述する遊技盤３０面上の遊技領域内の構成を空白で示している。
【００４２】
図１，２に示すように、パチンコ機１０は、当該パチンコ機１０の外殻を形成する外枠１１を備えており、この外枠１１の一側部に内枠１２が開閉可能に支持されている。外枠１１は、木製の板材により全体として矩形状に構成され、小ネジ等の離脱可能な締結具により各板材が組み付けられている。従って、釘やリベットを使って各板材を組み付けていた従来構造と比べて構成部材の再利用が容易な構成となっている。本実施の形態では、外枠１１の上下方向の外寸は８０９ｍｍ（内寸７７１ｍｍ）、左右方向の外寸は５１８ｍｍ（内寸４８０ｍｍ）となっている。
【００４３】
また、内枠１２及び前面枠セット１４は合成樹脂、具体的にはＡＢＳ（アクリロニトリル−ブタジエン−スチレン）樹脂により構成されている。両者の成形に合成樹脂を用いることにより、金属製素材を用いた場合と比較してより複雑な形状に対応できるとともに、生産コストの増大を抑制することもできる。また、ＡＢＳを用いる利点としては、ポリカーボネイト等の樹脂素材と比較して、生産コストが低い、粘性が強く衝撃に強い等が挙げられる。加えて、例えば前面枠セット１４の前面側等の意匠面にメッキ等のコーティング処理を施す場合において、その処理を比較的容易に行いやすく、外観品質のより高いものが製造できるというメリットがある。
【００４４】
さて、内枠１２の開閉軸線はパチンコ機１０の正面からみて左側（後述するハンドル設置箇所の反対側）に上下に延びるように設定されており、この開閉軸線を軸心にして内枠１２が前方側に開放できるようになっている。なお、外枠１１は樹脂やアルミニウム等の軽金属により構成されていてもよい。
【００４５】
内枠１２には、その最下部に下皿ユニット１３が取り付けられると共に、下皿ユニット１３を除く範囲に対応して前面枠セット１４が取り付けられている。下皿ユニット１３は、内枠１２に対してネジ等の締結具により固定されている。また、前面枠セット１４は、内枠１２に対して開閉可能に取り付けられており、内枠１２と同様、パチンコ機１０の正面からみて左側に上下に延びる開閉軸線を軸心にして前方側に開放できるようになっている。図３は、パチンコ機１０より前面枠セット１４を取り外した状態を示す正面図である（但し、図３では便宜上、遊技盤３０面上の遊技領域内の構成を空白で示している）。なお、内枠１２の前面側には、その周囲（前面枠セット１４に対応する部分）においてリブＲ１が突設されている。そして、前面枠セット１４の閉時には、前面枠セット１４がリブＲ１の内側に嵌まり込んだ状態となる。この構成により、前面枠セット１４と内枠１２の間の隙間から針金等を進入させることが困難となり、不正防止の役割を果たす。
【００４６】
下皿ユニット１３には、ほぼ中央部に球受皿としての下皿１５が設けられ、排出口１６より排出された遊技球が下皿１５内に貯留可能になっている。下皿ユニット１３はその大部分が内枠１２と同様、ＡＢＳ樹脂にて成形されているが、その中でも特に下皿１５を形成する表面層と下皿奥方の前面パネル２３とは難燃性のＡＢＳ樹脂にて成形されている。このため、この部分は燃え難くなっている。なお、符号２４はスピーカからの音出力口であり、符号２５は下皿１５内から遊技球を下方へ排出するための球抜きレバーである。
【００４７】
下皿１５よりも右方には、手前側に突出して遊技球発射ハンドル（以下単に「ハンドル」という）１８が配設されている。つまり、ハンドル１８は、内枠１２の開閉軸線とは反対側にあたるパチンコ機１０の正面からみて右側に位置しており、ハンドル１８の突出に関わりなく内枠１２の開放時における所定の開放量を確保できる。また、下皿１５の左方には、灰皿２６が設けられている。なお、灰皿２６は、下皿１５の左側辺部より左方へ突出した図示しない軸棒によって回動可能に支持された、いわゆる片持ち構造となっている。
【００４８】
一方、下皿１５の上方において球受皿としての上皿１９が設けられている。ここで、上皿１９は、遊技球を一旦貯留し、一列に整列させながら遊技球発射装置の方へ導出するための球受皿である。なお、上皿１９は、前面枠セット１４において、ガラスを支持するガラス枠部と一体的に形成されている。従来のパチンコ機ではガラス枠の下方に内枠に対し開閉可能な前飾り枠が設けられ、該前飾り枠に上皿が設けられていたのであるが、本実施の形態では前面枠セット１４に対し直接的かつ一体的に上皿１９が設けられているため、後述するように前面枠セット１４のフレーム部分の幅が従来に比べ比較的細いものであっても、前面枠セット１４（ガラス枠部）の所定の強度を確保させることができる。この上皿１９も下皿１５と同様、表面層が難燃性のＡＢＳ樹脂にて成形される構成となっている。
【００４９】
また、図３において、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。なお、遊技盤３０の上下方向の長さは４７６ｍｍ、左右方向の長さは４５２ｍｍとなっている（従来と同等サイズ）。なお、樹脂ベース２０には、前面枠セット１４の開放を検知する開放検知センサ２２が設けられている。また、図示しないが内枠１２の開放を検知する開放検知スイッチも設けられている。
【００５０】
次に、遊技盤３０の構成を図４を用いて説明する。遊技盤３０には、一般入賞口３１ａ，３１ｂ、可変入賞装置ユニット３２、第１始動口３３ａ，３３ｂ、可変入賞手段としての第２可変入賞装置３５ａ，３５ｂ，３５ｃ等がルータ加工によって形成された貫通穴に配設され、遊技盤３０前面側から木ネジ等により取付けられている。
【００５１】
ここで、一般入賞口３１ａ，３１ｂ等の配設位置について説明する。遊技盤３０の略中央部において可変入賞装置ユニット３２が配設され、可変入賞装置ユニット３２の左右側方においてそれぞれ第２可変入賞装置３５ａ，３５ｂが配設され、可変入賞装置ユニット３２の下方において第２可変入賞装置３５ｃが配設され、第２可変入賞装置３５ｃの左右側方においてそれぞれ第１始動口３３ａ，３３ｂが配設され、各第１始動口３３ａ，３３ｂの左及び右外方において一般入賞口３１ａ，３１ｂが配設されている。周知の通り前記一般入賞口３１ａ，３１ｂ、可変入賞装置ユニット３２、第１始動口３３ａ，３３ｂ、第２可変入賞装置３５ａ，３５ｂ，３５ｃに遊技球が入球し、後述する検出スイッチの出力により、上皿１９（または下皿１５）へ遊技価値としての所定数の賞品球が払い出される。その他に、遊技盤３０にはアウト口３６が設けられており、各種入賞部（入賞装置、入賞口、始動口等）に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車２７等の各種部材（役物）が配設されている。
【００５２】
また、遊技盤３０には、発射手段としての遊技球発射装置から発射された遊技球を遊技盤３０上部へ案内するためのレール部材を構成するレールユニット５０が取り付けられており、ハンドル１８の回動操作に伴い発射された遊技球はレールユニット５０を通じて所定の遊技領域に案内されるようになっている。レールユニット５０はリング状をなす樹脂成形品にて構成されており、内外二重に一体形成された内レール構成部（内レール部）５１と外レール構成部（外レール取付け部）５２とを有する。内レール構成部５１は上方の約１／４ほどを除いて略円環状に形成されている。また、一部（主に左側部）が内レール構成部５１に向かい合うようにして外レール構成部５２が形成されている。かかる場合、内レール構成部５１と外レール構成部５２とにより主として誘導レールが構成され、これら各レール構成部５１，５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００５３】
内レール構成部５１の先端部分（図４の左上部）には戻り球防止部材５３が取着されている。これにより、一旦、内レール構成部５１及び外レール構成部５２間の球案内通路から遊技盤３０の上部へと案内された遊技球が再度球案内通路内に戻ってしまうといった事態が防止されるようになっている。また、外レール構成部５２には、遊技球の最大飛翔部分に対応する位置（図４の右上部：外レール構成部５２の先端部に相当する部位）に返しゴム５４が取着されている。従って、所定以上の勢いで発射された遊技球は、返しゴム５４に当たって例えば遊技盤３０の略中央部側へ戻される。外レール構成部５２の内側面には、遊技球の飛翔をより滑らかなものとするべく、長尺状をなすステンレス製の金属帯としての摺動プレート５５が取着されている。なお、本実施の形態では、外レール構成部５２及び摺動プレート５５によって、いわゆる従来の外レールに相当するものが構成されている。そして、内外レール構成部５１，５２及び摺動プレートをレールユニット５０としてユニット化することにより、従来の内外レールを別々に設けた構成に比べて、取付け作業が容易となり作業性が向上する。
【００５４】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジＮ等の固定手段が挿通されて遊技盤３０に対するレールユニット５０の締結がなれるようになっている。さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。なお、左下のフランジ５６においては他の部分（左上部，右上部及び右下部のフランジ５６）と比較して、より多く固定手段が使用されている。これは、上記誘導レール及び球案内通路の位置をより適正な位置に固定するためであり、これにより遊技球発射装置から発射された遊技球がより安定して遊技盤３０上部へ案内される。加えて、固定手段の数を増やすことでレールユニット５０をより強固に固定でき、仮にレールユニット５０の成形時において歪みが生じたとしても、その歪みを吸収する効果がある。
【００５５】
内レール構成部５１及び外レール構成部５２間の球案内通路の入口には、同球案内通路の一部を閉鎖するようにして凸部５７が形成されている。この凸部５７は、内レール構成部５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部及び左下隅部は、証紙等のシールやプレート（図のＳＫ１，ＳＫ２）を貼着するためのスペースとなっており、この貼着スペースを確保するために、フランジ５６に切欠５８，５９が形成されている。
【００５６】
次に、遊技領域について説明する。遊技領域は、レールユニット５０の内周部（内外レール構成部５１，５２）により略円形状に区画形成されており、特に本実施の形態では、遊技盤３０の盤面上に区画される遊技領域が従来よりもはるかに大きく構成されている。本実施の形態では、外レール構成部５２の最上部地点から遊技盤３０下部までの間の距離は４４５ｍｍ（従来品よりも５８ｍｍ長い）、外レール構成部５２の極左位置から内レール構成部５１の極右位置までの間の距離は４３５ｍｍ（従来品よりも５０ｍｍ長い）となっている。また、内レール構成部５１の極左位置から内レール構成部５１の極右位置までの間の距離は４１８ｍｍとなっている。
【００５７】
本実施の形態では、パチンコ機１０の正面から見て、内レール構成部５１及び外レール構成部５２によって囲まれる領域のうち、内外レール構成部５１，５２の並行部分である誘導レールの領域を除いた領域を、主たる遊技領域としている。従って、遊技領域と言った場合には誘導レール部分は含まないため、遊技領域の向かって左側限界位置は外レール構成部５２によってではなく内レール構成部５１によって特定される。同様に、遊技領域の向かって右側限界位置は内レール構成部５１によって特定される。また、遊技領域の下側限界位置は遊技盤３０の下端位置によって特定される。また、遊技領域の上側限界位置は外レール構成部５２によって特定される。
【００５８】
従って、本実施の形態では、正面からみた遊技領域の幅（左右方向の最大幅）は、４１８ｍｍであり、遊技領域の高さ（上下方向の最大幅）は、４４５ｍｍである。
【００５９】
ここで、前記遊技領域の幅は、少なくとも３８０ｍｍ以上あることが望ましい。より好ましくは３９０ｍｍ以上、４００ｍｍ以上、４１０ｍｍ以上、４２０ｍｍ以上、４３０ｍｍ以上、４４０ｍｍ以上、４５０ｍｍ以上、さらに４６０ｍｍ以上であることが望ましい。もちろん、４７０ｍｍ以上であってもよい。すなわち、遊技領域の幅は、遊技領域拡大という観点からは大きい程好ましい。また、遊技領域の高さは、少なくとも４００ｍｍ以上あることが望ましい。より好ましくは４１０ｍｍ以上、４２０ｍｍ以上、４３０ｍｍ以上、４４０ｍｍ以上、４５０ｍｍ以上、さらには４６０ｍｍ以上であることがより望ましい。もちろん、４７０ｍｍ以上、４８０ｍｍ以上、４９０ｍｍ以上としてもよい。すなわち、遊技領域の幅は、遊技領域拡大という観点からは大きい程好ましい。なお、上記幅及び高さの組合せについては、上記数値を任意に組み合わせたものとしてもよい。
【００６０】
本実施の形態では、遊技盤３０面に対する遊技領域の面積の比率は約７０％と、従来に比べ格段に面積比が大きいものとなっている。なお、遊技盤３０面に対する遊技領域の面積比は、従来では５０％程度に過ぎなかったことから、遊技盤３０を共通とした前提においてはかなり遊技領域を拡大しているといえる。尚、パチンコ機１０の外形は遊技場への設置の都合上製造者間でほぼ統一されており、遊技盤３０の大きさも同様とせざるを得ない状況下において、上記のように遊技盤３０面に対する遊技領域の面積の比率を約２０％も高めたことは、遊技領域拡大の観点で非常に有意義である。ここで、前記比率は、少なくとも６０％以上であることが望ましい。さらに好ましくは６５％以上であり、より好ましくは７０％以上である。また、本実施形態の場合を越えて７５％以上であれば、一層望ましい。さらには、８０％以上であってもよい。
【００６１】
また、パチンコ機１０全体の正面側の面積に対する遊技領域の面積の比率は約４０％と、従来に比べ格段に面積比が大きいものとなっている。なお、パチンコ機１０全体の正面側の面積に対する遊技領域の面積比は、３５パーセント以上であるのが望ましい。もちろん、４０パーセント以上としてもよいし、４５パーセント以上、又は５０パーセント以上としてもよい。
【００６２】
図３の説明に戻り、前記樹脂ベース２０において、窓孔２１（遊技盤３０）の下方には、遊技球発射装置より発射された直後に遊技球を案内するための発射レール６１が取り付けられている。発射レール６１は、その後方の金属板６２と一体的に樹脂ベース２０に取付固定されており、所定の発射角度（打ち出し角度）にて直線的に延びるよう構成されている。従って、ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００６３】
本パチンコ機１０の場合、遊技領域が従来よりも大幅に拡張されることは既に述べたが、かかる構成下では、誘導レールの曲率を小さくせざるを得ないことから、打出球を安定化させるための工夫を要する。そこで本実施の形態では、遊技球の発射位置を低くするとともに発射レール６１の傾斜角度（発射角度）を既存のものよりも幾分大きくし（すなわち発射レール６１を立ち上げるようにし）、さらに発射レール６１の長さを既存のものよりも長くして十分な長さの球誘導距離を確保するようにしている。これにより、遊技球発射装置から発射された遊技球をより安定した状態で誘導レールに案内できるようにしている。この場合特に、発射レール６１を、遊技球発射装置の発射位置から遊技領域の左右方向の中央位置（アウト口３６）を越える位置まで延びるよう形成している。また、発射レール６１を上記構成とするため、本実施の形態では金属板６２も従来のものより比較的大きなものとし、それを固定する固定手段の数も従来に比べ多くしている。
【００６４】
また、発射レール６１とレールユニット５０（誘導レール）との間には所定間隔の隙間があり、この隙間より下方にファール球通路６３が形成されている。従って、仮に、遊技球発射装置から発射された遊技球が戻り球防止部材５３まで至らずファール球として誘導レール内を逆戻りする場合には、そのファール球がファール球通路６３を介して下皿１５に排出される。因みに、本実施の形態の場合、発射レール６１の長さは約２４０ｍｍ、発射レール先端部の隙間の長さ（発射レール６１の延長線上の長さ）は約４０ｍｍである。
【００６５】
ファール球が誘導レール内を逆流してくる際、その多くは外レール構成部５２に沿って流れ、外レール構成部５２の下端部に到達した時点で下方に落下するが、一部のファール球は誘導レール内で暴れ、内レール構成部５１側へ跳ね上がるものもある。この際、跳ね上がったファール球は、球案内通路入口の前記凸部５７に当たり、ファール球通路６３に誘導される。これにより、ファール球の全てがファール球通路６３に確実に案内されるようになる。これにより、ファール球と次に発射される遊技球との干渉が抑制される。
【００６６】
なお、詳しい図面の開示は省略するが、遊技球発射装置には、前面枠セット１４側の球出口（上皿１９の最下流部より通じる球出口）から遊技球が１つずつ供給される。この際、本実施の形態では遊技球の発射位置を低くしたため、前面枠セット１４側の球出口から前記発射位置への落差が大きくなるが、発射レール６１の基端部付近にはその右側と手前側にそれぞれガイド部材６５，６６を設置している。これにより、前面枠セット１４側の球出口から供給される遊技球が常に所定の発射位置にセットされ、安定した発射動作が実現できる。また、遊技球発射装置には打球槌が設けられ、軸部を中心とする打球槌の回動に伴い遊技球が発射されるが、打球槌に関して軽量化が望まれている。それ故、アルミニウム等の軽金属への材料変更や軸部寸法の縮小化により打球槌の軽量化を図る一方で、十分な発射力を確保すべく、打球槌のヘッド部（軸部と反対側の端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果がある。
【００６７】
また、上記前面枠セット１４側の球出口には、発射される遊技球を検出するための発射球検出手段としての発射球検出スイッチＳＷ１（図１参照）が設けられている。発射球検出スイッチＳＷ１は、図示しない電気配線を通じて後述する主基板（主制御装置）に接続されている。
【００６８】
なお、図３中の符号６７は上皿１９に通ずる排出口であり、この排出口６７を介して遊技球が上皿１９に排出される。排出口６７には開閉式のシャッタ６８が取り付けられている。詳しい図面の開示は省略するが、シャッタ６８は、その下辺部に沿って設けられた軸部を軸心として回動可能となるとともに、前面枠セット１４を開放した状態（図３の状態）ではバネ等の付勢力によりシャッタ６８が排出口６７をほぼ閉鎖するようになっている。また、前面枠セット１４を閉鎖した状態では、当該前面枠セット１４の裏面に設けられた球通路樋６９（図２参照）によりシャッタ６８が押し開けられるようになっている。なお、前面枠セット１４の開放状態においては、遊技球は下皿１５へ排出されるようになっている。従って、上述したように前面枠セット１４に対して上皿１９が直接設けられる構成とした本パチンコ機１０において、前面枠セット１４の開放に際し払出通路内等の遊技球がこぼれ落ちてしまうといった不都合が防止できるようになっている。
【００６９】
樹脂ベース２０には、窓孔２１の右下部に略四角形状の小窓７１が設けられている。従って、遊技盤３０の右下隅部に張られたシール等（図４のＳＫ１）は、この小窓７１を通じて視認できるようになっている。また、この小窓７１から上記シール等を貼り付けることも可能である。
【００７０】
また、樹脂ベース２０には窓孔２１の左上方において略四角形状の小窓７２が設けられ、小窓７２に対応して遊技盤３０の左上部にも略四角形状の孔部７３（図４参照）が設けられている。そして、後述する前面枠セット１４の電飾部１０２，１０３等と接続される各種電気配線（図示略）が小窓７２及び孔部７３を通して本パチンコ機１０の背面側から導かれている。
【００７１】
また、内枠１２の図３の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００７２】
また、内枠１２にはアース用金具Ｅ１，Ｅ２が設けられている（図３参照）。アース用金具Ｅ１，Ｅ２は、内枠１２の背面側において所定の金属部材と接続されている。そして、前面枠セット１４が閉じられた状態において、アース用金具Ｅ１，Ｅ２が後述する補強板１３１，１３２と当接することにより短絡するようになっている。
【００７３】
次に、前面枠セット１４について図１，図５を参照しつつ説明する。図５は、前面枠セット１４の背面図である。前面枠セット１４には前記遊技領域のほとんどを外部から視認することができるよう略楕円形状の窓部１０１が形成されている。前面枠セット１４は本実施の形態における視認窓（窓部１０１）を有した前面扉を構成する。詳しくは、窓部１０１は、その左右側の略中央部が、上下側に比べて比較的緩やかに湾曲した形状となっている。なお、前記略中央部が直線状になるようにしてもよい。本実施の形態において、窓部１０１の上端（外レール構成部５２の最上部、遊技領域の上端）と、前面枠セット１４の上端との間の距離（いわゆる上部フレーム部分の上下幅）は６１ｍｍとなっており、８５ｍｍ〜９５ｍｍ程度上部フレーム幅がある従来技術に比べて著しく短くなっている。これにより、遊技領域の上部領域が確保されやすくなるとともに、比較的大型の可変入賞装置ユニット３２も比較的上方に配置することができるようになっている。前面枠セット１４の上端との間の距離は８０ｍｍ以下であることが望ましく、より望ましくは７０ｍｍ以下であり、さらに望ましくは６０ｍｍ以下である。もちろん、所定の強度が確保できるのであれば、５０ｍｍ以下であっても差し支えない。
【００７４】
また、パチンコ機１０の正面から見て窓部１０１の左端と前面枠セット１４の左端との間の最短距離（いわゆる左側部フレーム部分の左右幅：図５では右側に示されている）、すなわち開閉軸線側のフレーム幅は、前面枠セット１４自体の強度及び支持強度を高めるために比較的大きく設定されている。この場合、図１及び図３を相互に比較すると明らかなように、前面枠セット１４が閉じられた状態において、外レール構成部５２の左端部はもちろん、内レール構成部５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領域において遊技球が視認困難となるわけではない。そのため、実際の遊技に際しては何ら支障が生じない。また、このような支障が生じない一方で、前面枠セット１４の十分な強度及び支持強度が確保可能となっている。ちなみに、パチンコ機１０の正面から見て外レール構成部５２の左端位置と外枠１１の左端位置との左右方向の距離は２１ｍｍ、遊技領域の右端位置（内レール構成部５１の右端位置）と外枠１１の右端位置との左右方向の距離は４４ｍｍとなっている。
【００７５】
加えて、前面枠セット１４にはその周囲（例えばコーナー部分）に各種ランプ等の発光手段が設けられている。これら発光手段は、大当たり時（特別遊技状態発生時）等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂が取り付けられた小窓１０７が設けられている。
【００７６】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図られる。
【００７７】
前面枠セット１４の裏側には、窓部１０１を囲むようにして金属製の各種補強部材が設けられている。詳しくは、図５に示すように、前面枠セット１４の裏側にあって窓部１０１の上下左右の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。つまり、補強板１３１〜１３４において、樹脂パーツ１３５の絶縁効果により電気が環状に通ることを防止している。これにより、補強板１３１〜１３４におけるノイズのループや環状通電による磁界の発生を抑制することができる。
【００７８】
図５の右側の補強板１３１にはその中間位置にフック状をなす係合爪１３１ａが設けられており、この係合爪１３１ａは、前面枠セット１４を閉じた状態で内枠１２の孔部１２ａ（図３参照）に係合されるように構成されている。この構成により、上皿１９を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【００７９】
また、下側の補強板１３４には、前記発射レール６１（図３参照）に対向する位置に樹脂製のレール側壁部材１３６が設けられている。このレール側壁部材１３６は、前面枠セット１４を閉じた際に発射レール６１の側壁となる。故に、発射レール６１から遊技球がこぼれ落ちないようになっている。
【００８０】
上述した補強板１３１〜１３４はガラス支持用の金枠としての機能も兼ね備えており、これら補強板１３１〜１３４の一部が後方に折り返されてガラス保持溝が形成されている。このガラス保持溝は前後に２列形成されており、矩形状をなす前後一対のガラス１３７が各ガラス保持溝にて保持される。これにより、２枚のガラス１３７が前後に所定間隔を隔てて取着されるようになっている。
【００８１】
前述の通り本実施の形態のパチンコ機１０では遊技領域の拡張を図っていることから、前面枠セット１４を閉じた状態にあっては、内外のレール構成部５１，５２により構成された誘導レールの一部が前面枠セット１４により覆い隠される構成となっている。それ故、当該誘導レールでは手前側の開放部がガラス１３７で覆えない部分ができてしまう。かかる場合、例えば、遊技球発射装置より発射された遊技球が戻り球防止部材５３まで至らず戻ってくると、当該遊技球が誘導レール外にこぼれたり（飛び出したり）、外レール構成部５２とガラス１３７との間に挟まってしまうおそれがある。そこで本実施の形態では、前面枠セット１４に、誘導レールの手前側開放部を被覆するためのレールカバー１４０を取り付けている。
【００８２】
レールカバー１４０は略円弧状をなす略平板体であって、透明な樹脂により形成されている。レールカバー１４０は、その円弧形状が前記誘導レールの形状に対応しており、窓部１０１の周縁部に沿って、誘導レールの基端部から先端部近傍までの区間を覆うようにして前面枠セット１４の裏側に取着されている。特にレールカバー１４０の内径側の寸法・形状は内レール構成部５１のそれにほぼ一致する。レールカバー１４０が取着された状態では、その表面側がガラス１３７に当接した状態となる。前面枠セット１４が閉じられた状態においては、レールカバー１４０の裏面が誘導レールのほぼ全域を覆うこととなる。これにより、誘導レールのほとんどの区間において遊技球のガラス１３７への衝突を防止できる。従って、ガラス１３７への接触による破損等の悪影響を抑制することができる。
【００８３】
また、レールカバー１４０の右端部（すなわち、レールカバー１４０を前面枠セット１４に取着した図５の状態で右端となる部位）には、誘導レールがガラス１３７の側縁部からはみ出した部分を被覆するための被覆部１４１が設けられている。これにより、遊技球が誘導レール外にこぼれたり（飛び出したり）、外レール構成部５２とガラス１３７との間に挟まってしまうといった不具合の発生を防止することができる。
【００８４】
さらに、レールカバー１４０の裏側には、その内側縁に沿って円弧状に延び且つ図５の手前側に突出した突条１４２が形成されている。突条１４２は、前面枠セット１４が閉じられた状態において、誘導レール内に入り込んだ状態で内レール構成部５１にほぼ一体的に重なり合うよう構成されている。従って、例えば前面枠セット１４と内枠１２との隙間から針金等を侵入させて不正行為を行おうとしても、誘導レールの内側にある遊技領域にまで針金等を侵入させることが非常に困難となる。結果として、針金等を利用して行われる不正行為を防止することができる。なお、突条１４２をより広い範囲で、例えばレールカバー１４０の内側縁の全域に沿って形成する構成としても良く、かかる構成によれば、より広い範囲で針金等を侵入させにくくなり、針金等を利用して行われる不正行為をより確実に防止することができる。
【００８５】
また、前面枠セット１４の図５の右端部（パチンコ機１０正面から見ると左端部）には、内枠１２の支持機構として、支持金具１５１，１５２が取り付けられている。従って、内枠１２側の支持金具８１，８２（図３参照）に対して前面枠セット１４側の支持金具１５１，１５２を組み付けることで、内枠１２に対して前面枠セット１４が開閉可能に装着されるようになる。ここで、前記支持機構について支持金具８１，８２及び支持金具１５１，１５２の関連性をふまえてより詳しく説明する。支持金具１５１は略棒状をなし、その上部の径が下部の径より太くなっている。上記支持孔８３の切欠の幅は、前記支持金具１５１の上部の太さより狭く、下部の太さより広くなっている。前面枠セット１４の装着手順としては、まず前記支持金具１５１の下部を前記切欠を介して支持孔８３に挿入し、次に支持金具８２の突起軸８４に支持金具１５２を差込む。そして、前記切欠位置に対応して前記支持金具１５１の上部を位置させることで、支持金具１５１が支持孔８３から外れなくなり、前面枠セット１４の装着が完了する。
【００８６】
なお、前面枠セット１４の施錠機構は、内枠１２の施錠機構と一体的となっており、当該一体となった施錠機構Ｇ１（図６参照）の本体部は内枠１２の背面側に設けられている。そのため、図３では、施錠機構Ｇ１から内枠１２の前面側に突出した係止爪Ｔ１，Ｔ２のみが示されている。そして、係止爪Ｔ１，Ｔ２が前面枠セット１４の背面側に係止されることにより、前面枠セット１４が施錠された状態となる。
【００８７】
ここで、前記施錠機構Ｇ１の構成について図８等を参照して説明する。施錠機構Ｇ１は、遊技機本体を構成する内枠１２の左右一側部（右側部、図８の左側）に上下方向へ延びるようにかつ上下方向へ移動可能となるように設けられた長尺状の連動部材Ｇ２と、内枠１２の前記一側部のうち遊技領域の最大幅となる位置とは異なる位置に設けられ連動部材Ｇ２を上側又は下側に選択的に移動させる鍵部材Ｇ３（図１等参照）とを備え、該鍵部材Ｇ３の操作による連動部材Ｇ２の上下一方への移動により内枠１２の施錠が解除されるとともに、連動部材Ｇ２の上下他方への移動により前面枠セット１４の施錠が解除されるように構成されている。
【００８８】
次に、パチンコ機１０の背面の構成を詳しく説明する。図６はパチンコ機１０の背面図である。
【００８９】
先ずはじめに、パチンコ機１０の背面構成について全体の概要を説明する。パチンコ機１０にはその背面（実際には内枠１２及び遊技盤３０の背面）において、各種制御基板が上下左右に並べられるようにして又は前後に重ねられるようにして配置されており、さらに、遊技球を供給するための遊技球供給装置（払出機構）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、主基板と音声ランプ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。
【００９０】
また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００９１】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００９２】
実際には、図７の概略図に示すように各ユニット２０１〜２０３が配置され、取り付けられている。なお図７において、略Ｌ字状をなす第１制御基板ユニット２０１はパチンコ機１０のほぼ中央に配置され、その下方に第２制御基板ユニット２０２が配置されている。また、第１制御基板ユニット２０１に一部重なる領域に、裏パックユニット２０３が配置されている。
【００９３】
詳しくは、第１制御基板ユニット２０１には、パチンコ機１０の背面から見て左端部に支軸部Ｍ１が設けられ、その支軸部Ｍ１による軸線Ａを中心に当該第１制御基板ユニット２０１が開閉可能となっている。また、第１制御基板ユニット２０１には、その右端部（すなわち支軸部と反対側、さらに言えば開放端側）にナイラッチ等よりなる締結部Ｍ２が設けられると共に上端部に係止爪部Ｍ３が設けられており、これら締結部Ｍ２及び係止爪部Ｍ３によって第１制御基板ユニット２０１がパチンコ機本体に対して固定保持されるようになっている。
【００９４】
また、第２制御基板ユニット２０２には、パチンコ機１０の背面から見て右端部に支軸部Ｍ４が設けられ、その支軸部Ｍ４による軸線Ｂを中心に当該第２制御基板ユニット２０２が開閉可能となっている。また、第２制御基板ユニット２０２には、その左端部（すなわち支軸部と反対側、さらに言えば開放端側）にナイラッチ等よりなる締結部Ｍ５が設けられており、この締結部Ｍ５によって第２制御基板ユニット２０２がパチンコ機本体に対して固定保持されるようになっている。
【００９５】
さらに、裏パックユニット２０３には、パチンコ機１０の背面から見て右端部に支軸部Ｍ６が設けられ、その支軸部Ｍ６による軸線Ｃを中心に当該裏パックユニット２０３が開閉可能となっている。また、裏パックユニット２０３には、その左端部（すなわち支軸部と反対側、さらに言えば開放端側）にナイラッチ等よりなる締結部Ｍ７が設けられると共に上端部及び下端部にそれぞれ回動式の係止部Ｍ８，Ｍ９が設けられており、これら締結部Ｍ７及び係止部Ｍ８，Ｍ９によって裏パックユニット２０３がパチンコ機本体に対して固定保持されるようになっている。
【００９６】
この場合、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。
【００９７】
一方、図８は、内枠１２に遊技盤３０を組み付けた状態でその構成を示す背面図である。また、図９は内枠１２を後方より見た斜視図である。ここでは図８、図９を用いて内枠１２及び遊技盤３０の裏面構成を説明する。
【００９８】
遊技盤３０は、樹脂ベース２０に囲まれた四角枠状の設置領域に設置され、内枠１２に設けられた複数（本実施の形態では４カ所）の係止固定具２１１，２１２によって脱落しないように固定されている。係止固定具２１１，２１２は手動で回動でき、固定位置（ロック位置）と固定解除位置（アンロック位置）とを切り替えることができるよう構成されており、図８にはロック状態を示す。遊技盤３０の左右３カ所の係止固定具２１１は金属片を折り曲げ形成したＬ型の金具であり、遊技盤３０の固定状態で内枠１２外方へ張り出さないよう構成されている。なお、遊技盤３０の下部１カ所の係止固定具２１２は樹脂製のＩ型の留め具である。
【００９９】
また、遊技盤３０の裏面には、可変入賞装置ユニット３２を取り囲むようにして裏枠セット２１５が取り付けられている。この裏枠セット２１５は、遊技盤３０の裏面に張り付くようにして設けられる薄型の樹脂成形品（例えばＡＢＳ製）であって、各種入賞口に入賞した遊技球を回収するための遊技球回収機構が形成されている。詳しくは、裏枠セット２１５の下方には、前述した一般入賞口３１ａ，３１ｂ、第１始動口３３ａ，３３ｂ、第２可変入賞装置３５ｃ（それぞれ図４参照）の遊技盤開口部に対応し、且つ下流側で１カ所に集合する回収通路２１６が形成されている。また、遊技盤３０の下方には、内枠１２にやはり樹脂製（例えばポリカーボネイト樹脂製）の排出通路盤２１７が取り付けられており、該排出通路盤２１７には、排出球をパチンコ機１０外部へ案内するための排出通路２１８が形成されている。従って、図８に仮想線で例示するように、一般入賞口３１ａ，３１ｂ等に入賞した遊技球は何れも裏枠セット２１５の回収通路２１６を介して集合し、さらに排出通路盤２１７の排出通路２１８を介してパチンコ機１０外部に排出される。なお、アウト口３６（図３参照）も同様に排出通路２１８に通じており、何れの入賞部（入賞装置、入賞口、始動口等）にも入賞しなかった遊技球も排出通路２１８を介してパチンコ機１０外部に排出される。
【０１００】
上記構成では、遊技盤３０の下端面を境界にして、上方に裏枠セット２１５（回収通路２１６）が、下方に排出通路盤２１７（排出通路２１８）が設けられており、排出通路盤２１７が遊技盤３０に対して前後方向に重複（オーバーラップ）せずに設けられている。従って、遊技盤３０を内枠１２から取り外す際において、排出通路盤１７が遊技盤取り外しの妨げになるといった不都合が生じることもない。
【０１０１】
なお、排出通路盤２１７は、パチンコ機前面の上皿１９の丁度裏側辺りに設けられており、上皿１９に至る球排出口（図２の球通路樋６９）より針金等を差し込み、さらにその針金等を内枠１２と排出通路盤２１７との隙間を通じて遊技領域側に侵入させるといった不正行為が考えられる。そこで本パチンコ機１０では、排出通路盤２１７の上皿１９の丁度裏側辺りに、内枠１２にほぼ一体的に重なり合うようにしてパチンコ機前方に延びるプレート２１９が設けられている。従って、内枠１２と排出通路盤２１７との隙間から針金等を侵入させようとしてもそれがプレート２１９にて阻害され、遊技領域にまで針金等を侵入させることが非常に困難となる。結果として、針金等を利用して可変入賞装置ユニット３２を強制的に開放する等の不正行為を防止することができる。
【０１０２】
また、遊技盤３０の裏面には、各種入賞口などの遊技球の通過を検出するための入賞感知機構などが設けられている。具体的には、遊技盤３０表側の一般入賞口３１ａ，３１ｂに対応する位置にはそれぞれ入賞口スイッチ２２１が設けられ、可変入賞装置ユニット３２には、特定領域スイッチ２２２とカウントスイッチ２２３とが設けられている。特定領域スイッチ２２２は、可変入賞装置ユニット３２に入賞した遊技球が後述する特定領域（大当たり状態の発生又は継続を判定するための領域）に入ったことを検出するスイッチであり、カウントスイッチ２２３は可変入賞装置ユニット３２への入賞球をカウントするスイッチである。また、第１始動口３３ａ，３３ｂに対応する位置にはそれぞれ第１始動口スイッチ２２４が設けられ、第２可変入賞装置３５ａ，３５ｂ，３５ｃに対応する位置には第２入賞スイッチ２２５ａ，２２５ｂ，２２５ｃが設けられている。
【０１０３】
なお、特定領域スイッチ２２２によって検出された遊技球は、駆動手段としての駆動機構Ｙ１に接触して当該駆動機構Ｙ１を押し下げるように作用した後、球通路Ｙ２を通って、第２可変入賞装置３５ｃへと導かれ、当該第２可変入賞装置３５ｃにおける後述する可変部材４６７の球受部４６７ｂに対して直接的に外力を加えるように作用した後、前記第２入賞スイッチ２２５ｃによって検出され、上述したように流下していく。さらに、前記駆動機構Ｙ１は、第２可変入賞装置３５ａ，３５ｂにおける後述する可変部材４６７の球受部４６７ｂに連接されており、前記駆動機構Ｙ１が押し下がるように作動することにより、第２可変入賞装置３５ａ，３５ｂの可変部材４６７の球受部４６７ｂに対して間接的に外力が加えられる。
【０１０４】
入賞口スイッチ２２１、特定領域スイッチ２２２及びカウントスイッチ２２３は図示しない電気配線を通じて盤面中継基板２２６に接続され、さらにこの盤面中継基板２２６が後述する主基板（主制御装置）に接続されている。また、第１始動口スイッチ２２４及び第２入賞スイッチ２２５ａ，２２５ｂ，２２５ｃは、入賞口中継基板２２７に接続され、この入賞口中継基板２２７がやはり主基板に接続されている。なお、図８において符号２２８は打球槌等を備えるセットハンドルであり、符号２２９は発射モータである。これらセットハンドル２２８や発射モータ２２９等により上記遊技球発射装置が構成されている。
【０１０５】
上記入賞感知機構にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。かかる場合、各種入賞部（入賞装置、入賞口、始動口等）に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞部毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。
【０１０６】
また、裏枠セット２１５には、第１制御基板ユニット２０１を取り付けるための取付機構が設けられている。具体的には、この取付機構として、遊技盤３０の裏面から見て左下隅部には上下方向に延びる支持金具２３１が設けられ、この支持金具２３１には同一軸線上に上下一対の支持孔２３１ａが形成されている。その他、遊技盤３０の右下部において符号２３２は上下一対の被締結孔（ナイラッチ孔）であり、同左上部において符号２３３は係止爪片である。
【０１０７】
また、内枠１２の裏面には、第２制御基板ユニット２０２や裏パックユニット２０３を取り付けるための取付機構が設けられている。具体的には、内枠１２にはその右端部に長尺状の支持金具２３５が取り付けられており、その構成を図１０に示す。図１０に示すように、支持金具２３５は長尺板状の金具本体２３６を有し、その金具本体２３６より起立させるようにして、下方２カ所に第２制御基板ユニット用の支持孔部２３７が形成されると共に、上方２カ所に裏パックユニット用の支持孔部２３８が形成されている。それら支持孔部２３７，２３８にはそれぞれ同軸の支持孔が形成されている。その他、第２制御基板ユニット用の取付機構として、内枠１２には、遊技盤設置領域よりも下方左端部に上下一対の被締結孔（ナイラッチ孔）２３９が設けられている。また、裏パックユニット用の取付機構として、内枠１２には、遊技盤設置領域の左端部に上下一対の被締結孔（ナイラッチ孔）２４０が設けられている。但し、第２制御基板ユニット用の支持金具と裏パックユニット用の支持金具とを各々個別の部材で設けることも可能である。符号２４１，２４２，２４３は、遊技盤３０との間に裏パックユニット２０３を挟み込んで支持するための回動式の固定具である。
【０１０８】
その他、内枠１２の背面構成において、遊技盤３０の右下部には、後述する払出機構より払い出される遊技球を上皿１９、下皿１５、又は排出通路２１８の何れかに振り分けるための遊技球分配部２４５が設けられている。すなわち、遊技球分配部２４５の開口部２４５ａは上皿１９に通じ、開口部２４５ｂは下皿１５に通じ、開口部２４５ｃは排出通路２１８に通じる構成となっている。なお、従来、遊技球分配部２４５に相当する部分が裏パックユニット２０３側に設けられていたため、上皿１９に至る球排出口（図２の球通路樋６９）を通じて裏パックユニット２０３を押すことにより、内枠１２と遊技球分配部２４５に相当する部分との間に隙間が生じ、その隙間を通じて針金等を差し込み、内部機器を操作するといった不正行為が考えられた。そこで本パチンコ機１０では、遊技球分配部２４５として内枠１２側に設け、なおかつ固定手段により固定することにより、そのような不正行為を防止している。さらに、遊技球分配部２４５の上端面は遊技盤３０の下端面が設置される高さ位置に合わせて形成されており、遊技盤３０の取外しの妨げにならないように工夫されている。
【０１０９】
また、内枠１２の下端部には、下皿１５に設置された上記スピーカの背後を囲むための樹脂製のスピーカボックス２４６が取り付けられており、このスピーカボックス２４６により低音域の音質改善が図られている。
【０１１０】
次に、第１制御基板ユニット２０１を図１１〜図１４を用いて説明する。図１１は第１制御基板ユニット２０１の正面図、図１２は同ユニット２０１の斜視図、図１３は同ユニット２０１の分解斜視図、図１４は同ユニット２０１を裏面から見た分解斜視図である。
【０１１１】
第１制御基板ユニット２０１は略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３（被包手段）に収容されて構成されている。なお、基板ボックス２６３は、略直方体形状のボックスベースと該ボックスベースの開口部を覆うボックスカバーとを備えている。これらボックスベースとボックスカバーとは封印ユニット２６４（封印手段）によって開封不能に連結され、これにより基板ボックス２６３が封印されている。
【０１１２】
封印手段としての封印ユニット２６４はボックスベースとボックスカバーとを開封不能に連結する構成であれば任意の構成が適用できるが、ここでは図１１等に示すように、５つの封印部材が連結された構成となっており、この封印部材の長孔に係止爪を挿入することでボックスベースとボックスカバーとが開封不能に連結されるようになっている。封印ユニット２６４による封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４を構成する５つの封印部材のうち、少なくとも一つの封印部材の長孔に係止爪を挿入することにより封印処理が行われる。そして、収容した主基板の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨を容易に発見できる。
【０１１３】
また、音声ランプ制御装置２６２は、例えば主制御装置２６１（主基板）からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ボックス２６５に収容されて構成されている。音声ランプ制御装置２６２上には電源中継基板２６６が搭載されており、後述する電源基板より供給される電源がこの電源中継基板２６６を介して音声ランプ制御装置２６２に出力されるようになっている。
【０１１４】
取付台２５１は、有色（例えば緑、青等）の樹脂材料（例えばポリカーボネイト樹脂製）にて成形され、その表面に平坦状をなす２つの基板搭載面２５２，２５３が設けられている。これら基板搭載面２５２，２５３は直交する向きに延び、前後方向に段差をもって形成されている。但し、取付台２５１は無色透明又は半透明の樹脂成形品であっても良い。
【０１１５】
そして、一方の基板搭載面２５２上に主制御装置２６１（主基板）が横長の向きに配置されると共に、他方の基板搭載面２５３上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面２５２，２５３が前後方向に段差をもって形成されているため、これら基板搭載面２５２，２５３に主制御装置２６１及び音声ランプ制御装置２６２を搭載した状態において各制御装置２６１，２６２はその一部を前後に重ねて配置されるようになる。つまり、図１１等にも見られるように、主制御装置２６１はその一部（本実施の形態では１／３程度）が浮いた状態で配置されるようになる。故に、主制御装置２６１に重なる領域まで音声ランプ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面２５２の後方にスペースが確保され、可変入賞装置ユニット３２やその電気配線等が無理なく設置できるようになっている。
【０１１６】
図１３及び図１４に示すように、主基板用の基板搭載面２５２には、左右２カ所に横長形状の貫通孔２５４が形成されている。これに対応して、主制御装置２６１の基板ボックス２６３には、その裏面の左右２カ所に回動式の固定具２６７が設けられている。主制御装置２６１を基板搭載面２５２に搭載する際には、基板搭載面２５２の貫通孔２５４に固定具２６７が通され、その状態で固定具２６７が回動されて主制御装置２６１がロックされる。従って、上述の通り主制御装置２６１はその一部が浮いた状態で配置されるとしても、当該主制御装置２６１の脱落等の不都合が回避できる。また、主制御装置２６１は第１制御基板ユニット２０１（基板搭載面２５２）の裏面側から固定具２６７をロック解除しなければ、取り外しできないため、基板取り外し等の不正行為に対して抑止効果が期待できる。主基板用の基板搭載面２５２にはその裏面に格子状のリブ２５５が設けられている。
【０１１７】
取付台２５１には、図１１における左端面に上下一対の支軸２５６が設けられており、この支軸２５６を図８等に示す支持金具２３１に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を図８等に示す被締結孔２３２にはめ込むと共に、長孔２５８に図８等に示す係止爪片２３３を係止させることで、第１制御基板ユニット２０１が遊技盤３０に固定されるようになる。なお、支持金具２３１及び支軸２５６が前記図７の支軸部Ｍ１に、被締結孔２３２及びナイラッチ２５７が締結部Ｍ２に、係止爪片２３３及び長孔２５８が係止爪部Ｍ３に、それぞれ相当する。
【０１１８】
次に、第２制御基板ユニット２０２を図１５〜図１７を用いて説明する。図１５は第２制御基板ユニット２０２の正面図、図１６は同ユニット２０２の斜視図、図１７は同ユニット２０２の分解斜視図である。
【０１１９】
第２制御基板ユニット２０２は横長形状をなす取付台３０１を有し、この取付台３０１に払出制御装置３１１、発射制御装置３１２、電源装置３１３及びカードユニット接続基板３１４が搭載されている。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射モータ２２９の制御が行われ、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４を省略することも可能である。
【０１２０】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、前述した主制御装置２６１と同様、基板ボックス３１５（被包手段）を構成するボックスベースとボックスカバーとが封印ユニット３１９（封印手段）によって開封不能に連結され、これにより基板ボックス３１５が封印されている。
【０１２１】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られるようになっている。
【０１２２】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１２３】
取付台３０１は例えば無色透明な樹脂成形品よりなり、その表面に平坦状をなす基板搭載面３０２が設けられている。この場合、発射制御装置３１２、電源装置３１３及びカードユニット接続基板３１４は取付台３０１の基板搭載面３０２に横並びの状態で直接搭載され、電源装置３１３の基板ボックス３１７上に払出制御装置３１１が搭載されている。
【０１２４】
また、取付台３０１には、図１５等の右端部に上下一対の支軸３０５が設けられており、この支軸３０５を図８等に示す支持孔部２３７に上方から挿通させることで、第２制御基板ユニット２０２が内枠１２に対して開閉可能に支持される。また、取付台３０１には、左端部に締結具として上下一対のナイラッチ３０６が設けられており、ナイラッチ３０６を図８等に示す被締結孔２３９にはめ込むことで、第２制御基板ユニット２０２が内枠１２に開閉不能に固定されるようになる。なお、支持孔部２３７及び支軸３０５が前記図７の支軸部Ｍ４に、被締結孔２３９及びナイラッチ３０６が締結部Ｍ５に、それぞれ相当する。
【０１２５】
次に、裏パックユニット２０３の構成を説明する。裏パックユニット２０３は、樹脂成形された裏パック３５１と遊技球の払出機構部３５２とを一体化したものであり、パチンコ機１０の背面から見た背面図を図１８に示し、分解斜視図を図１９に示す。
【０１２６】
裏パック３５１は例えばＡＢＳ樹脂により一体成形されており、略平坦状のベース部３５３と、パチンコ機後方に突出し横長の略直方体形状をなす保護カバー部３５４とを有する。保護カバー部３５４は左右側面及び上面が閉鎖され且つ下面のみが開放された形状をなし、少なくとも可変入賞装置ユニット３２を囲むのに十分な大きさを有する（但し本実施の形態では、前述の音声ランプ制御装置２６２も合わせて囲む構成となっている）。保護カバー部３５４の背面には多数の通気孔３５４ａが設けられている。この通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の可変入賞装置ユニット３２等を露出させることで、所定の検定等を容易に実施することができる。
【０１２７】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は図１９に示す払出通路３５９等を通じて前記上皿１９に供給される。
【０１２８】
タンクレール３５６には、当該タンクレール３５６に振動を付加するためのバイブレータ３６０が取り付けられている。従って、仮にタンクレール３５６付近で球詰まりが生じた際、バイブレータ３６０が駆動されることで球詰まりが解消されるようになっている。なお、バイブレータ３６０は、パチンコ機の設計変更等による位置変更や故障時等における交換が容易になるよう、モータ等の振動体が本体部であるケース内に収容されたバイブレータ・ユニットとして構成されており、当該ユニットが着脱可能なようにタンクレール３５６に取付けられている。なお、前記バイブレータ・ユニットは、その本体部（ケース面）がタンクレール３５６に密着せず、本体部から突出した足部（振動伝達子）を介してタンクレール３５６の側面に取付けられており、そのバイブ振動がより効果的にタンクレール３５６に伝達されるよう構成されている。
【０１２９】
タンクレール３５６の構成ついて詳述すると、図２０に示すように、タンクレール３５６は上方に開口した長尺樋状をなすレール本体３６１を有し、レール本体３６１の始端部には球面状の球受部３６２が設けられている。この球受部３６２により、タンク３５５より落下してきた遊技球が円滑にレール本体３６１内に取り込まれる。また、レール本体３６１には長手方向に延びる仕切壁３６３が設けられており、この仕切壁３６３により遊技球が二手に分流されるようになっている。仕切壁３６３により仕切られた２条の球通路は遊技球の直径よりも僅かに幅広となっている。仕切壁３６３により仕切られた各球通路の底面には、１筋又は２筋の突条３６４が設けられると共に、その突条３６４の側方に開口部３６５が設けられている。
【０１３０】
また、レール本体３６１には、その下流側半分程度の天井部分を覆うようにして整流板３６７が配設されている。この整流板３６７は、下流側になるほどタンクレール３５６内の球通路高さを制限するよう弓なりに反った形状をしており、さらにその下面には長手方向に延びる凸部３６８が形成されている。これにより、タンクレール３５６内を流れる各遊技球は最終的には上下に積み重なることなく下流側に流出する。従って、タンクレール３５６に多量の遊技球群が流れ込んできても、遊技球の噛み込みが防止され、タンクレール３５６内における球詰まりが解消されるようになっている。なお、レール本体３６１が黒色の導電性ポリカーボネイト樹脂により成形されるのに対し、整流板３６７は透明のポリカーボネイト樹脂により成形されている。整流板３６７は着脱可能に設けられており、当該整流板３６７を取り外すことによりタンクレール３５６内のメンテナンスが容易に実施できるようになっている。
【０１３１】
図１８，１９の説明に戻り、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１３２】
タンク３５５から払出通路３５９に至るまでの払出機構部３５２は何れも導電性を有する樹脂材料（例えば導電性ポリカーボネイト樹脂）にて成形され、その一部にてアースされている。これにより、遊技球の帯電によるノイズの発生が抑制されるようになっている。
【０１３３】
また、裏パック３５１には、図１８等の右端部に上下一対の支軸３８５が設けられており、この支軸３８５を図８等に示す支持孔部２３８に上方から挿通させることで、裏パックユニット２０３が内枠１２に対して開閉可能に支持される。また、裏パック３５１には、左端部に締結具として上下一対のナイラッチ３８６が設けられると共に、上端部に係止孔３８７が設けられており、ナイラッチ３８６を図８等に示す被締結孔２４０にはめ込むと共に、係止孔３８７に図８等に示す固定具２４２を係止させることで、裏パックユニット２０３が内枠１２に開閉不能に固定されるようになる。このとき、図８等に示す固定具２４１，２４３によっても裏パックユニット２０３が内枠１２に固定される。なお、支持孔部２３８及び支軸３８５が前記図８の支軸部Ｍ６に、被締結孔２４０及びナイラッチ３８６が締結部Ｍ７に、固定具２４２及び係止孔３８７が係止部Ｍ８に、それぞれ相当する。また、固定具２４３が係止部Ｍ９に相当する。なお、上記係止孔３８７に図８等に示す固定具２４２を係止させることで、裏パックユニット２０３が内枠１２に開閉不能に固定されるようになる。また、本実施の形態では、多くの遊技球が貯留され比較的負荷のかかるタンク３５５の近傍の係止部Ｍ８として、回動式のＩ型の留め具が採用されている。このため、ナイラッチ等の固定具（差込み式固定具）を用いた場合に比べてより確実に裏パックユニット２０３（タンク３５５）の係止を行うことができる。
【０１３４】
また、裏パックユニット２０３のベース部３５３には、外部中継端子板２３０用の開口部３９１が設けられており、裏パックユニット２０３の固定された状態でも、外部中継端子板２３０の取外し及び操作が可能となっている。
【０１３５】
なお、上述してきた構成により、主制御装置２６１（基板ボックス２６３）の取外しは、まず裏パックユニット２０３を開け（又は取外し）、次に第１制御基板ユニット２０１を開け（又は取外し）、そして、固定具２６７を解除操作するという複雑な過程をふむことにより、ようやく行うことができる。このため、主制御装置２６１（基板ボックス２６３）の取り外し等の不正行為に対して抑止効果が期待できる。
【０１３６】
さて、次に上記可変入賞装置ユニット３２や第２可変入賞装置３５ａ，３５ｂ，３５ｃ等について図２１〜図２８を参照してより詳しく説明する。なお、ここでの説明及び図２４〜図２８においては、第２可変入賞装置３５ａ，３５ｂ，３５ｃがほぼ同一構成のため、これらを総称して第２可変入賞装置３５と示す。可変入賞装置ユニット３２は、図示しない電気配線を通じて上記主制御装置２６１に接続されており、主制御装置２６１により制御される。一方、第２可変入賞装置３５の開閉動作は、電気的制御ではなく、後述するように機械的に制御される。
【０１３７】
図２１は、可変入賞装置ユニット３２の正面図である。可変入賞装置ユニット３２は、略中空形状の本体部４０１と、該本体部４０１の下部において遊技球振分け機構４０２と、該遊技球振分け機構４０２の上方において上下動を行う移動体４０３と、本体部４０１の上部に設けられた遊技球転動部４０４と、該遊技球転動部４０４の左右両側部において開閉可能に軸支された一対の開閉部材としての羽根４０５ａ，４０５ｂと、遊技球転動部４０４の奥側から遊技球振分け機構４０２へと遊技球を導く誘導通路４０６とを備えている。なお、誘導通路４０６の中途位置において上記カウントスイッチ２２３が設けられている。
【０１３８】
図２２は遊技球振分け機構４０２の斜視図であり、図２３は遊技球振分け機構４０２の一部を示す分解斜視図である。遊技球振分け機構４０２は、ベース部４１１と、該ベース部４１１の上部に取着された囲枠部４１２と、ベース部４１１に固定されたモータ４１３と、囲枠部４１２の凹部４１２ａに嵌め込まれ、かつモータ４１３の回転軸４１３ａに回転可能に軸支された回転体４１４とを備えている。
【０１３９】
回転体４１４は、その周縁に沿って複数（本実施の形態では１０個）の収容部を有している。複数の収容部は、複数（本実施の形態では８個）の第１収容部４２１、１つの第２収容部４２２、及び１つの第３収容部４２３によって構成されている。前記第１収容部４２１は、遊技球が回転体４１４の半径外方向に転出可能なように下面が傾斜した略Ｕ字状に構成されている。第２収容部４２２は、回転体４１４の円周方向に沿って架け渡された架橋下面を有し、遊技球が前記架橋下面から回転体４１４の中心方向に向けて転出可能なように図示しない落下口を備えた構成となっている。第３収容部４２３は、遊技球が回転体４１４の半径外方向に転出しないように遊技球を抱えることができるよう構成されている。なお、本実施の形態では、回転体４１４は、通常時や後述する特別遊技状態の発生時において常時回転を継続するよう構成されている。
【０１４０】
一方、上記囲枠部４１２の凹部４１２ａには、その側壁部において第１通過口４２５が形成され、その底部において第２通過口４２６及び第３通過口４２７が形成されている。便宜上、符号は省略するが、もちろんベース部４１１にも第２通過口４２６及び第３通過口４２７に対応して孔部が設けられている。
【０１４１】
第１通過口４２５は、前記第１収容部４２１に収容された遊技球を図示しない球排出部に排出するためのものである。つまり、回転体４１４が回転して、遊技球を収容した第１収容部４２５の位置が第１通過口４２５の位置と一致したとき、第１収容部４２１から遊技球が排出されるようになっている。
【０１４２】
第２通過口４２６は、回転体４１４の中心軸寄りに形成されており、前記第２収容部４２２に収容された遊技球を図示しない球排出部に排出するためのものである。つまり、回転体４１４が回転して、遊技球を収容した第２収容部４２２の落下口の位置が第２通過口４２６の位置と一致したとき、第２収容部４２２から遊技球が排出されるようになっている。
【０１４３】
第３通過口４２７は、回転体４１４の周縁寄りに形成されており、前記第３収容部４２３に収容された遊技球を図示しない球排出部に排出するためのものである。つまり、回転体４１４が回転して、遊技球を収容した第３収容部４２３の位置が第３通過口４２７の位置と一致したとき、第３収容部４２３から遊技球が排出されるようになっている。なお、第３通過口４２７は、上記特定領域スイッチ２２２が配置された図示しない特定領域に繋がっており、第３通過口４２７から排出された遊技球はこの特定領域スイッチ２２２によって検出される。つまり、第１収容部４２１及び第２収容部４２２は特定領域に繋がっていない第１通過口４２５や第２通過口４２６へ遊技球を導く機能を持ち、第３収容部４２３は特定領域に繋がっている第３通過口４２７へ遊技球を導く機能を有する。前記特定領域が本実施の形態における特定入賞手段を構成する。
【０１４４】
また、第１通過口４２５の近傍において当該第１通過口４２５を遮蔽する第１遮蔽機構４３１が設けられ、第３通過口４２７の近傍において当該第３通過口４２７を遮蔽する第２遮蔽機構４３２が設けられている。
【０１４５】
第１遮蔽機構４３１は、ベース部４１１と囲枠部４１２との間に回動可能に軸支された作動部４３５と、該作動部４３５を駆動する第１ソレノイド４３６とを備えている。作動部４３５には第１通過口４２５を閉鎖する第１シャッタ４３７が設けられている。そして、通常時、つまり第１ソレノイド４３６の非励磁状態において第1シャッタ４３７は第１通過口４２５を開状態とする位置にあり、第１ソレノイド４３６が励磁されると、作動部４３５が回動し、第１シャッタ４３７は第１通過口４２５を閉状態とする位置に移動する。従って、第１シャッタ４３７により第１通過口４２５が閉鎖され、遊技球が第１通過口４２５を通過できなくなる。
【０１４６】
第２遮蔽機構４３２は、ベース部４１１と囲枠部４１２との間に回動可能に軸支された作動部４４１と、該作動部４４１を駆動する第２ソレノイド４４２とを備えている。作動部４４１には第３通過口４２７を閉鎖する第２シャッタ４４３が設けられている。そして、通常時、つまり第２ソレノイド４４２の非励磁状態において第２シャッタ４４３は第３通過口４２７を開状態とする位置にあり、第２ソレノイド４４２が励磁されると、作動部４４１が回動し、第２シャッタ４４３は第３通過口４２７を閉状態とする位置に移動する。従って、第２シャッタ４４３により第３通過口４２７が閉鎖され、遊技球が第３通過口４２７を通過できなくなる。
【０１４７】
なお、図８に示すように、上記可変入賞装置ユニット３２には、移動体４０３を上下動するための移動体用モータＤ１と、羽根４０５ａ，４０５ｂを開閉するための羽根用ソレノイドＤ２，Ｄ３とが設けられている。
【０１４８】
さて、図２４（ａ）は閉状態にある第２可変入賞装置３５の正面図であり、図２４（ｂ）は開状態にある第２可変入賞装置３５の正面図である。図２５（ａ）は閉状態にある第２可変入賞装置３５の平面図であり、図２５（ｂ）は開状態にある第２可変入賞装置３５の平面図である。図２６（ａ）は閉状態にある第２可変入賞装置３５の斜視図であり、図２６（ｂ）は閉状態にある第２可変入賞装置３５の断面図であり、図２６（ｃ）は第１停止位置にある状態の回転体４６６を示す斜視図である。図２７（ａ）は回転体４６６が第２停止位置にある場合の開状態にある第２可変入賞装置３５の斜視図であり、図２７（ｂ）は回転体４６６が第２停止位置にある場合の開状態にある第２可変入賞装置３５の断面図であり、図２７（ｃ）は第２停止位置にある状態の回転体４６６を示す斜視図である。図２８（ａ）は回転体４６６が第３停止位置にある場合の開状態にある第２可変入賞装置３５の斜視図であり、図２８（ｂ）は回転体４６６が第３停止位置にある場合の開状態にある第２可変入賞装置３５の断面図であり、図２８（ｃ）は第３停止位置にある状態の回転体４６６を示す斜視図である。
【０１４９】
第２可変入賞装置３５は、遊技盤３０面上に配設される基部としての台板４５１を備えている。台板４５１の略中央部には遊技球が前後方向へ通過可能な開口部としての通過孔４５２が形成されている。
【０１５０】
台板４５１の前面側には、上部の開口した前カバー４５３が通過孔４５２を覆うように取着されている。前カバー４５３と台板４５１との間には、通過孔４５２の左右両側部において一対の開閉部材としての羽根４５５が回動可能に軸支されている。前カバー４５３の内側（背面側）底部には、遊技球を通過孔４５２へと導く一対の誘導片４５３ａが形成されている。
【０１５１】
より詳しくは、各羽根４５５の下部には、前後方向へ貫通した軸孔４５６が設けられている。これに対応して、前カバー４５３と台板４５１の相対向する面には、前記軸孔４５６に挿通された状態で軸棒４５７が架設されている。これにより、各羽根４５５は、前記軸棒４５６を軸として回動する。また、両羽根４５５の先端部は前カバー４５３から外方へ突出している。さらに、各羽根４５５の下部には、前記軸孔４５６よりも左右方向における外方位置において錘４５５ｂが取着されている。これにより、両羽根４５５は、後述する回転体４６６による規制がない場合には、自重（重心の偏り）により、開位置となるように構成されている。
【０１５２】
また、各羽根４５５の下端部には係止突部４５９が設けられている。これに対応するように前カバー４５３の左右両側部には、係止突部４５９を係止可能なストッパ４６０が設けられている。これにより、羽根４５５の回動変位量が規制される。詳しくは、後述するように、両羽根４５５が閉位置にある場合には、係止突部４５９がストッパ４６０に係止されることによって、羽根４５５がそれ以上内側に傾動しないように規制される。そして、この状態においては、両羽根４５５が略平行して配され、両羽根４５５の内側面４５５ａが相対向した状態となり、両羽根４５５間には遊技球が当該両羽根４５５を通過し下方へ落下可能な幅（開口）Ｗが確保される。一方、羽根４５５が開位置にある場合には、羽根４５５の外側面が前記ストッパ４６０に当接することによって、羽根４５５がそれ以上外側に傾動しないように規制され、所定の設定位置で維持されるようになっている。この状態における両羽根４５５間（両係止突部４５９間）の幅ｗは、遊技球の径より狭い幅となっている。
【０１５３】
また、羽根４５５の背面側には、係止突部４５９の近傍において、後方へ突出した突起部４６２が形成されている。突起部４６２は、後述するよう回転体４６６の係止片４６６ｄが当接可能なように、通過孔４５２を介して台板４５１の背面側へ突出している。
【０１５４】
台板４５１の背面側には、通過孔４５２に対応して、収容部４６３が設けられている。収容部４６３は、後方下部が切欠かれ開放されているとともに、後部上面が開口して球導入口４６３ａが形成されている。
【０１５５】
また、収容部４６３の底部には通過孔４５２と連通する球通路４６４が形成され、当該球通路４６４には上記誘導片４５３ａと連続するように一対の誘導片４６４ａが形成されている。
【０１５６】
収容部４６３内には、通過孔４５２の近傍において、収容部４６３の左右両側壁部４６５に回転可能に軸支された回転体４６６が取着されている。
【０１５７】
回転体４６６は、略円筒状の軸部４６６ａの軸方向中央部において、軸心から放射方向へ突出する接触部としての第１球受片４６６ｂ及び第２球受片４６６ｃを備えている。第１球受片４６６ｂ及び第２球受片４６６ｃ間の成す角度は、約１２０度（反対側は約２４０度）となっている。すなわち、３つの球受片を等間隔（１２０度間隔）で設けた態様から１つの球受片を省略した態様とほぼ同じ態様となっている。従って、本実施形態における回転体４６６は、第１球受片４６６ｂと第２球受片４６６ｃとが約１２０度という所定角度間隔で配置されるとともに、その外周部の周方向において、所定角度間隔１２０度の２倍の２４０度間隔を有する球受片の非配置区間を備えているということができる。
【０１５８】
第２球受片４６６ｃは、軸部４６６ａの軸方向略全域に設けられ、自身が後方に位置する際、後述する可変部材４６７の作用部４６７ｃが接触可能なように比較的幅広となっている。これに対し、第１球受片４６６ｂは、軸方向中央部近傍のみに設けられており、自身が後方に位置する際、可変部材４６７の作用部４６７ｃが接触不能なように、比較的幅狭となっている。第２球受片４６６ｃが、本実施形態における特定の接触部に相当する。
【０１５９】
さらに、回転体４６６は、前記非配置区間において、第２可変入賞装置３５内を通過していく遊技球が接触不能なように比較的突出量の少ない（第１球受片４６６ｂ及び第２球受片４６６ｃに比べて突出量の少ない）突起部４６６ｅを備えている。突起部４６６ｅは、第１球受片４６６ｂ及び第２球受片４６６ｃとそれぞれ約１２０度という所定角度間隔を隔てて配置されている。すなわち、回転体４６６の外周部の周方向に沿って、第１球受片４６６ｂ、第２球受片４６６ｃ及び突起部４６６ｅが略等間隔（約１２０度間隔）で配置されている。
【０１６０】
また、軸部４６６ａの軸方向両端部において、軸心から放射方向へ突出する一対の規制部としての係止片４６６ｄが設けられている。なお、係止片４６６ｄは、略扇形状をなし、回転体４６６の周方向に対して、第１球受片４６６ｂ及び第２球受片４６６ｃとほぼ重ならない位置に設けられている。
【０１６１】
回転体４６６は、軸棒４７１が、収容部４６３の左右両側壁部４６５に設けられた軸孔を介して、軸部４６６ａに挿通されることによって軸支され、台板４５１と略平行する左右方向を軸として回動するようになっている。
【０１６２】
さて、収容部４６３内には、回転体４６６の後方において、左右両側壁部４６５に回動可能に軸支された可変手段としての可変部材４６７が取着されている。可変部材４６７は、その後部が上記球導入口４６３ａの下方に位置した状態で取着されている。
【０１６３】
可変部材４６７は、軸筒部４６７ａと、当該軸筒部４６７ａから後方へ延びる被作用部としての球受部４６７ｂと、軸筒部４６７ａの軸方向の一端部から斜め下前方へ延びる略平板状の作用部４６７ｃとを備えている。
【０１６４】
可変部材４６７は、軸棒４７２が、収容部４６３の左右両側壁部４６５に設けられた軸孔４７３を介して、軸筒部４６７ａに挿通されることによって軸支され、台板４５１と略平行する左右方向を軸として回動するようになっている。
【０１６５】
また、作用部４６７ｃには錘４７４が取着されている。これにより、可変部材４６７は、通常時、作用部４６７ｃの一部が収容部４６３内側に付勢された状態で維持されている。この状態では、球受部４６７ｂが略水平状態となるとともに、作用部４６７ｃが前記回転体４６６と非接触状態となっている。この状態が本実施形態における可変部材４６７の第１状態に相当する。
【０１６６】
さらに、収容部４６３内には、可変部材４６７の上方において、左右両側壁部４６５に回動可能に軸支された規制手段としての規制部材４７５が取着されている。規制部材４７５は、少なくともその後部が上記球導入口４６３ａ内に位置した状態で取着されている。
【０１６７】
規制部材４７５は、軸筒部４７５ａと、当該軸筒部４７５ａから後方へ延びる被作用部としての球受部４７５ｂと、軸筒部４７５ａから下方へ延びる係止部４７５ｃとを備えている。
【０１６８】
規制部材４７５は、軸棒４７６が、収容部４６３の左右両側壁部４６５に設けられた軸孔を介して、軸筒部４７５ａに挿通されることによって軸支され、台板４５１と略平行する左右方向を軸として回動するようになっている。
【０１６９】
また、係止部４７５ｃ内には錘４７８が取着されている。これにより、規制部材４７５は、通常時、球受部４７５ｂが略水平状態となり、可変部材４６７の軸筒部４６７ａ近傍に設けられた係止受部４６７ｄに係止部４７５ｃが当接した状態となっている。これにより、通常時には、可変部材４６７の回動が規制された状態となる。この状態が本実施形態における規制部材４７５の第１状態に相当する。
【０１７０】
さて、台板１４５の背面側には、回転体４６６（第１球受片４６６ｂ及び第２球受片４６６ｃ）に常時圧接して該回転体４６６を所定位置で停止させるための停止手段（弾性部材）としての舌片状の板バネ４８０が取着されている。
【０１７１】
次に、第２可変入賞装置３５（３５ａ，３５ｂ，３５ｃ）の作用について説明する。
【０１７２】
通常時、回転体４６６は、図２６に示すような特定停止位置としての第１停止位置で停止した状態となっている。
【０１７３】
この状態では、第１球受片４６６ｂが上方を向き、第２球受片４６６ｃが後斜め下方向を向き、突起部４６６ｅが前斜め下方向を向いた状態となっている。そして、板バネ４８０が第１球受片４６６ｂ及び第２球受片４６６ｃを係止し、回転体４６６の回動が規制された状態となっている。
【０１７４】
さらに、この状態では、羽根４５５の突起部４６２が、回転体４６６の係止片４６６ｄに当接した状態となり、両羽根４５５の回動が規制され、両羽根４５５が上記閉位置にて維持されている。つまり、第２可変入賞装置３５が閉状態となっている。
【０１７５】
そして、この状態（閉状態）において、両羽根４５５間から遊技球が第２可変入賞装置３５へ入賞した場合には、当該遊技球は、両羽根４５５間を下方へ通過し、誘導片４５３ａによって誘導され、通過孔４５２を通って後方へと導かれ、誘導片４６４ａに誘導されるようにして、球通路４６４を通って、外部へ排出される。この際、遊技球は、回転体４６６の突起部４６６ｅ、第１球受片４６６ｂ及び第２球受片４６６ｃに接触することなく通過していく。このため、回転体４６６は上記第１停止位置で停止した状態を維持する。従って、両羽根４５５は回動変位せず、閉位置に維持される。なお、第２可変入賞装置３５へ遊技球が入賞すると、上述したように、第２入賞スイッチ２２５ａ等によって検出され、これに基づき払出制御装置３１１によって第２可変入賞装置３５に対応する払出処理が行われる。前カバー４５３、誘導片４５３ａ、通過孔４５２、球通路４６４、誘導片４６４ａ等により、本実施形態における球案内通路が構成されている。
【０１７６】
さて、遊技球が上記可変入賞装置ユニット３２の特定領域へ入賞すると、当該入賞した遊技球は、上述したように駆動機構Ｙ１に接触して当該駆動機構Ｙ１を押し下げるように作用した後、球通路Ｙ２を通って、第２可変入賞装置３５ｃへと導かれ、球導入口４６３ａを通過して下方へ排出される。
【０１７７】
この際、遊技球は、第２可変入賞装置３５ｃにおける規制部材４７５の球受部４７５ｂに接触して、規制部材４７５を回動させ、係止部４７５ｃによる可変部材４６７の規制を解除する。この状態が本実施形態における規制部材４７５の第２状態に相当する。次いで、遊技球は、第２可変入賞装置３５ｃにおける可変部材４６７の球受部４６７ｂに対して直接的に外力を加えるように接触し、排出される。
【０１７８】
一方、第２可変入賞装置３５ａ，３５ｂにおいては、駆動機構Ｙ１が押し下がるように作動することにより、可変部材４６７の球受部４６７ｂに対して間接的に外力が加えられる。なお、本実施形態では、駆動機構Ｙ１の作動に基づき、規制部材４７５及び可変部材４６７を連動させ、規制部材４７５による規制を解除するとともに、可変部材４６７の球受部４６７ｂを下方へ押し下げるため連動機構が、駆動機構Ｙ１又は第２可変入賞装置３５ａ，３５ｂに設けられている。但し、前記連動機構に代えて、第２可変入賞装置３５ａ，３５ｂにおいては、規制部材４７５を省略し、可変部材４６７が回動自在となる構成を採用してもよい。
【０１７９】
さて、第２可変入賞装置３５（３５ａ，３５ｂ，３５ｃ）において、可変部材４６７の球受部４６７ｂが下方へ押し下げられると、可変部材４６７は、作用部４６７ｃが上方へ持ち上がるように回動する。この状態が本実施形態における可変部材４６７の第２状態に相当する。
【０１８０】
この際、可変部材４６７の作用部４６７ｃは、回転体４６６の第２球受片４６６ｃに接触し、板バネ４８０の弾性力に抗して第２球受片４６６ｃを押し上げ、回転体４６６を回動させる。これにより、回転体４６６は、次の停止位置である図２７に示す非特定停止位置としての第２停止位置まで約１２０度回動し、当該第２停止位置にて板バネ４８０により停止される。ここで、板バネ４８０は、回転体４６６の過剰回転を規制し、回転体４６６を適正位置において停止させる役割を果たしている。また、可変部材４６７は、回転体４６６を回動させた後、自重により通常時の位置に戻る。
【０１８１】
回転体４６６が第２停止位置で停止している状態では、第２球受片４６６ｃが上方を向き、第１球受片４６６ｂが前斜め下方向を向き、突起部４６６ｅが後斜め下方向を向いた状態となっている。そして、板バネ４８０が第２球受片４６６ｃ及び突起部４６６ｅを係止し、回転体４６６の回動が規制された状態となっている。
【０１８２】
この状態となると、回転体４６６の係止片４６６ｄの位置も下方へ移動し、係止片４６６ｄによる両羽根４５５の規制が解除され、両羽根４５５の回動が許容される。そして、両羽根４５５は、自重（重心の偏り）により、各先端部が離間していくように回動変位する。つまり、第２可変入賞装置３５の正面から見て、左側の羽根４５５は反時計回りに、右側の羽根４５５は時計回りに回動する。この回動は、羽根４５５の外下面が前記ストッパ４６０に係止されることにより、両羽根４５５の内側面４５５ａが逆八字状となった位置で停止するようになっている。この羽根４５５の位置が、本実施形態における、遊技球が入賞容易な開位置に相当する。羽根４５５が開位置にある状態が、第２可変入賞装置３５の開状態に相当する。
【０１８３】
なお、回転体４６６が第２停止位置で停止している状態では、上述したように可変部材４６７の球受部４６７ｂに対して直接的又は間接的に外力が加えられ、可変部材４６７が状態変化した場合でも、作用部４６７ｃが回転体４６６に接触せず、回転体４６６が回動しないようになっている。
【０１８４】
そして、この状態（開状態）において、両羽根４５５間から遊技球が第２可変入賞装置３５へ入賞した場合には、遊技球は、両羽根４５５を閉位置へと押し戻しつつ、両羽根４５５間を下方へ通過し、誘導片４５３ａによって誘導され、通過孔４５２を通って後方へと導かれ、誘導片４６４ａに誘導されるようにして、球通路４６４を通って、外部へ排出される。この際、遊技球は、回転体４６６の第１球受片４６６ｂに接触し、板バネ４８０の弾性力に抗して第１球受片４６６ｂを押し下げ、回転体４６６を回動させる。
【０１８５】
これにより、回転体４６６は、次の停止位置である図２８に示す非特定停止位置としての第３停止位置まで約１２０度回動し、当該第３停止位置にて板バネ４８０により停止される。そして、両羽根４５５は、回転体４６６の係止片４６６ｄによる規制がないため、再び開位置へ戻り、第２可変入賞装置３５は開状態を維持する。
【０１８６】
回転体４６６が第３停止位置で停止している状態では、第１球受片４６６ｂが後斜め下方向を向き、第２球受片４６６ｃが前斜め下方向を向き、突起部４６６ｅが上方向を向いた状態となっている。そして、板バネ４８０が第１球受片４６６ｂ及び突起部４６６ｅを係止し、回転体４６６の回動が規制された状態となっている。なお、回転体４６６が第３停止位置で停止している状態では、上記同様に、可変部材４６７が状態変化した場合でも、作用部４６７ｃが回転体４６６に接触せず、回転体４６６が回動しないようになっている。
【０１８７】
この状態（開状態）において、両羽根４５５間から遊技球が第２可変入賞装置３５へ入賞した場合には、上記同様に、遊技球は第２可変入賞装置３５内を通過していく。そして、遊技球は、回転体４６６の第２球受片４６６ｃに接触し、板バネ４８０の弾性力に抗して第２球受片４６６ｃを押し下げ、回転体４６６を回動させる。
【０１８８】
これにより、回転体４６６は、次の停止位置である上記第１停止位置まで約１２０度回動し、当該第１停止位置にて板バネ４８０により停止される。
【０１８９】
また、回転体４６６が、第３停止位置から第１停止位置へ回動変位する際には、回転体４６６の係止片４６６ｄが、両羽根４５５の突起部４６２を押し下げるように作用して、両羽根４５５を閉位置へと押し戻していく。そして、両羽根４５５が通常時の状態（閉位置）に復帰すると、回転体４６６の係止片４６６ｄにより両羽根４５５の回動が再び規制された状態となる。
【０１９０】
以上の詳述したように、第２可変入賞装置３５は、回転体４６６が１２０度ずつ回動していくことにより、両羽根４５５の開閉が制御される。そして、その開状態においては、回転体４６６の球受片の数と同数、本実施形態では２個の遊技球が入賞することにより、再び閉状態となる。
【０１９１】
図２９は、本パチンコ機１０の電気的構成を示したブロック図である。パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に関して各種のデータ等を一時的に記憶するためのメモリであるＲＡＭ５０３と、割込回路やタイマ回路、データ送受信回路などの各種回路が内蔵されている。
【０１９２】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアの他に、バックアップエリア５０３ａが設けられている。
【０１９３】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくためのエリアである。バックアップエリア５０３ａへの書き込みは、ＮＭＩ割込み処理（図３１参照）によって電源切断時に実行され、逆にバックアップエリア５０３ａに書き込まれた各値の復帰は、電源入時（停電解消による電源入を含む。以下同様）の復電処理（図３０参照）において実行される。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、図３１の停電処理（ＮＭＩ割込み処理）が即座に実行される。
【０１９４】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、音声ランプ制御装置２６２、可変入賞装置ユニット３２や、その他図示しないスイッチ群などが接続されている。
【０１９５】
さて、ここで主制御装置２６１について、現実の構成自体に拘束されず、主制御装置２６１を機能実現手段の集合体として捉えて説明する。即ち、以下に説明する各種機能はＣＰＵ５０１の制御下で実現される機能であり、その制御プログラムはＲＯＭ５０２（場合によってはＲＡＭ５０３）の記憶内容に基づくものであり、その時々の必要なデータはＲＡＭ５０３に一時的に記憶保持されることとなるが、それらのプログラム上の要件等については当業者がなし得るものであるため、個々には説明しない。
【０１９６】
また、払出制御装置３１１は、払出モータにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１９７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアの他に、バックアップエリア５１３ａが設けられている。
【０１９８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくためのエリアである。このバックアップエリア５１３ａへの書き込みは、ＮＭＩ書込み処理（図３０参照）によって電源切断時に実行され、逆にバックアップエリア５１３ａに書き込まれた各値の復帰は、電源入時の復電処理において実行される。
【０１９９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０２００】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者がハンドル１８をタッチしていることをセンサ信号により検出していること、発射を停止させるための発射停止スイッチが操作されていないことを条件に、発射モータ２２９が駆動され、ハンドル１８の操作量に応じた強度で遊技球が発射される。
【０２０１】
また、電源装置３１３は、パチンコ機１０の各部に電力を供給するための電源部５４１と、停電等により電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０２０２】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１から出力される最大電圧である直流安定２４ボルトの電圧を監視し、この電圧が２２ボルト未満になった場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（図３１のＮＭＩ割込み処理）を実行する。
【０２０３】
なお、電源部５４１は、直流安定２４ボルトの電圧が２２ボルト未満になった後においても、かかる停電時処理の実行に十分な時間の間、制御系の駆動電圧である５ボルトの出力を正常値に維持するように構成されている。よって、主制御装置２６１及び払出制御装置３１１は、停電時処理を正常に実行し完了することができる。
【０２０４】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０２０５】
次いで、主制御装置２６１内のＣＰＵ５０１により実行される各制御処理を図２９〜図３３のフローチャートを参照しながら説明する。かかるＣＰＵ５０１の処理としては大別して、電源投入に伴い起動されるメイン処理と、ＮＭＩ端子（ノンマスカブル端子）への停電信号の入力により起動されるＮＭＩ割込み処理とがあり、説明の便宜上ここでは、先ずはじめにＮＭＩ割込み処理を説明し、その後でメイン処理を説明する。
【０２０６】
図３１は、ＮＭＩ割込み処理を示すフローチャートであり、本処理は、主制御装置２６１のＣＰＵ５０１により停電の発生等によるパチンコ機１０の電源断時に実行される。このＮＭＩ割込みにより、電源断時の主制御装置２６１の状態がＲＡＭ５０３のバックアップエリア５０３ａに記憶される。
【０２０７】
すなわち、停電の発生等によりパチンコ機１０の電源が遮断されると、停電信号Ｓ１が停電監視回路５４２から主制御装置２６１内のＣＰＵ５０１のＮＭＩ端子に出力される。すると、ＣＰＵ５０１は実行中の制御を中断して図３１のＮＭＩ割込み処理を開始する。図３１のＮＭＩ割込み処理は、主制御装置２６１のＲＯＭ５０２に記憶されている。停電信号Ｓ１が出力された後所定時間は、主制御装置２６１の処理が実行可能となるように電源部５４１から電源供給がなされており、この所定時間内にＮＭＩ割込み処理が実行される。
【０２０８】
図３１のＮＭＩ割込み処理において、先ずステップＳ８０１では、使用レジスタをＲＡＭ５０３のバックアップエリア５０３ａに退避し、続くステップＳ８０２では、スタックポインタの値を同バックアップエリア５０３ａに記憶する。さらに、ステップＳ８０３では、電源断の発生情報をバックアップエリア５０３ａに設定し、ステップＳ８０４では、電源が遮断されたことを示す電源断通知コマンドを他の制御装置に対して送信する。
【０２０９】
ステップＳ８０５ではＲＡＭ判定値を算出し、バックアップエリア５０３ａに保存する。ＲＡＭ判定値は、例えば、ＲＡＭ５０３の作業領域アドレスにおけるチェックサム値である。ステップＳ８０６では、ＲＡＭアクセスを禁止する。その後は、電源が完全に遮断して処理が実行できなくなるのに備え、無限ループに入る。
【０２１０】
なお、上記のＮＭＩ割込み処理は払出制御装置３１１でも同様に実行され、かかるＮＭＩ割込みにより、停電の発生等による電源断時の払出制御装置３１１の状態がＲＡＭ５１３のバックアップエリア５１３ａに記憶される。停電信号Ｓ１が出力された後所定時間は、払出制御装置３１１の処理が実行可能となるように電源部５４１から電源供給がなされるのも同様である。すなわち、停電の発生等によりパチンコ機１０の電源が遮断されると、停電信号Ｓ１が停電監視回路５４２から払出制御装置３１１内のＣＰＵ５１１のＮＭＩ端子に出力され、ＣＰＵ５１１は実行中の制御を中断して図３１のＮＭＩ割込み処理を開始する。その内容は図３１で説明した通りである（但し、ステップＳ８０４の電源断通知コマンドの送信は除く）。
【０２１１】
また、図３０は、主制御装置２６１内のＣＰＵ５０１により実行されるメイン処理の一例を示すフローチャートであり、このメイン処理は電源投入時のリセットに伴い起動される。
【０２１２】
先ずはじめに、ステップＳ１０１では、電源投入に伴う初期設定処理を実行する。具体的には、スタックポインタに予め決められた所定値を設定すると共に、サブ側の制御装置（音声ランプ制御装置２６２，払出制御装置３１１等）が動作可能な状態になるのを待つために例えば１秒程度、ウェイト処理を実行する。また、ステップＳ１０２では、払出制御装置３１１に対して払出許可コマンドを送信し、続くステップＳ１０３では、ＲＡＭアクセスを許可する。
【０２１３】
その後、ＣＰＵ５０１内のＲＡＭ５０３に関してデータバックアップの処理を実行する。つまり、ステップＳ１０４では、電源装置３１３に設けたＲＡＭ消去スイッチ３２３が押下（ＯＮ）されているか否かを判別し、続くステップＳ１０５では、ＲＡＭ５０３のバックアップエリア５０３ａに電源断の発生情報が設定されているか否かを判別する。また、ステップＳ１０６ではＲＡＭ判定値を算出し、続くステップＳ１０７では、そのＲＡＭ判定値が電源断時に保存したＲＡＭ判定値と一致するか否か、すなわちバックアップの有効性を判別する。ＲＡＭ判定値は、例えばＲＡＭ５０３の作業領域アドレスにおけるチェックサム値である。なお、ＲＡＭ５０３の所定のエリアに書き込まれたキーワードが正しく保存されているか否かによりバックアップの有効性を判断することも可能である。
【０２１４】
上述したように、本パチンコ機１０では、例えばホールの営業開始時など、電源投入時に初期状態に戻したい場合にはＲＡＭ消去スイッチ３２３を押しながら電源が投入される。従って、ＲＡＭ消去スイッチ３２３がＯＮされていれば、ＲＡＭの初期化処理（ステップＳ１１４等）に移行する。また、電源断の発生情報が設定されていない場合や、ＲＡＭ判定値（チェックサム値等）によりバックアップの異常が確認された場合も同様にＲＡＭ５０３の初期化処理（ステップＳ１１４等）に移行する。つまり、ステップＳ１１４ではＲＡＭ５０３の使用領域を０にクリアし、続くステップＳ１１５ではＲＡＭ５０３の初期化処理を実行する。また、ステップＳ１１６では割込み許可を設定し、後述する通常処理に移行する。
【０２１５】
一方、ＲＡＭ消去スイッチ３２３が押されていない場合には、電源断の発生情報が設定されていること、及びＲＡＭ判定値（チェックサム値等）が正常であることを条件に、復電時の処理（電源断復旧時の処理）を実行する。つまり、ステップＳ１０８では、電源断前のスタックポインタを復帰させ、ステップＳ１０９では、電源断の発生情報をクリアする。ステップＳ１１０では、サブ側の制御装置を電源断時の遊技状態に復帰させるためのコマンドを送信し、ステップＳ１１１では、使用レジスタをＲＡＭ５０３のバックアップエリア５０３ａから復帰させる。さらに、ステップＳ１１２、Ｓ１１３では、割込み許可／不許可を電源断前の状態に復帰させた後、電源断前の番地へ戻る。
【０２１６】
次に、通常処理の流れを図３２のフローチャートを参照しながら説明する。この通常処理では遊技の主要な処理が実行される。まず始めに、ステップＳ２０１では、タイマ割込み処理を実行する。タイマ割込み処理が実行されると、各種入賞スイッチの読込み処理が行われる。すなわち、主制御装置２６１に接続されている各種スイッチ（但しＲＡＭ消去スイッチ３２３を除く）の状態を読み込むと共に、当該スイッチの状態を判定して検出情報（入賞検知情報）を保存する。
【０２１７】
その後、ステップＳ２０２では、第１始動口３３ａ，３３ｂへの遊技球の入球に伴う始動処理を実行する。具体的には、第１始動口スイッチ２２４からの検出信号に基づき、第１始動口３３ａ，３３ｂに遊技球が入球したか否かを判別し、受信してない場合にはこの始動処理を繰り返し行う。又、受信した場合には、続くステップＳ２０３において、可変入賞装置ユニット３２の駆動処理を実行する。なお、前記駆動処理に合わせて、第１始動口３３ａ，３３ｂへの遊技球の入球に関する払出許可コマンドを払出制御装置３１１へ出力する処理も行われる。
【０２１８】
前記駆動処理が実行されると、可変入賞装置ユニット３２において羽根４０５ａ，４０５ｂが所定時間だけ開状態となる。なお、第１始動口スイッチ２２４から検出信号を受信した場合には羽根４０５ａ，４０５ｂが１回開放される。そして、羽根４０５ａ，４０５ｂが開状態のときに、遊技球が可変入賞装置ユニット３２内に入ると、遊技球は遊技球転動部４０４から誘導通路４０６を介して遊技球振分け機構４０２へ導かれる。このとき、カウントスイッチ２３３によって遊技球が検出され、検出信号が主制御装置２６１へ送信される。そして、ステップＳ２０４において、入賞確認処理が実行される。入賞確認処理が実行されると、当該入賞に関する払出許可コマンドを払出制御装置３１１へ出力する処理が行われる。
【０２１９】
その後、ステップＳ２０５では、特別遊技状態発生確認処理が行われる。遊技球が遊技球振分け機構４０２へ導かれると、遊技球は回転体４１４のいずれかの収容部に収容される。ここで、遊技球が第３収容部４２３に収容された場合には、遊技球が上記特定領域に導かれ、特定領域スイッチ２２２によって検出される。特別遊技状態発生確認処理では、この検出信号を受信したか否か、すなわち遊技球が特定領域に入賞したか否かを判別する。そして、遊技球が特定領域に入賞した場合には、ステップＳ２０６において、遊技者にとって有利な特別遊技状態を発生させる特別遊技状態発生処理が実行され、一旦通常処理が終了する。又、遊技球が特定領域に入賞しなかった場合には、ステップＳ２０２に戻る。
【０２２０】
次に、特別遊技状態発生処理の流れを図３３のフローチャートを参照しながら説明する。まず始めに、ステップＳ２１１では、可変入賞装置ユニット３２の駆動処理を実行する。具体的には、羽根４０５ａ，４０５ｂの開閉処理、及び、遊技球停留処理が行われる。前記開閉処理が実行されると、羽根４０５ａ，４０５ｂの開閉が所定回数（例えば１８回）行われる。遊技球停留処理が実行されると、主制御装置２６１から第１遮蔽機構４３１及び第２遮蔽機構４３２へ制御信号が送信され、第１ソレノイド４３６及び第２ソレノイド４４２が励磁される。これにより、第１通過口４２５及び第３通過口４２７が閉鎖され、第１収容部４２１又は第３収容部４２３に収容された遊技球は、通過口４２５，４２７から排出されず、各収容部に停留する。そして、ステップＳ２１２において、入賞処理が行われる。この入賞処理が実行されると、当該入賞に関する払出許可コマンドを払出制御装置３１１へ出力する処理と、カウントスイッチ２３３から検出信号に基づき入賞数をカウントする入賞数カウント処理が行われる。
【０２２１】
続くステップＳ２１３では、ラウンド終了判別処理が実行される。ラウンド終了判別処理は、所定終了条件を満たしているか否か、例えば前記駆動処理が開始されてから所定時間経過したか、前記入賞カウント数が所定個数に達したか等を判別し、所定終了条件を満たしていない場合には、ステップＳ２１２に戻る。又、所定条件を満たしている場合には、その後ステップＳ２１４においてラウンド終了処理を実行する。具体的には、遊技球停留解除処理が実行される。すなわち、主制御装置２６１から第１遮蔽機構４３１及び第２遮蔽機構４３２へ制御信号が送信され、第１ソレノイド４３６及び第２ソレノイド４４２が非励磁状態に戻される。これにより、第１通過口４２５及び第３通過口４２７が開放され、第１収容部４２１又は第３収容部４２３に収容された遊技球が、通過口４２５，４２７から排出される。そして、続くステップＳ２１５ではラウンド継続判別処理を実行する。この処理では、所定継続条件を満たしているか否か（遊技球が特定領域に入賞したか否か、かつ、所定のラウンド回数に達していないか否か）を判別し、所定継続条件を満たしている場合には、ステップＳ２１１に戻る。又、所定継続条件を満たしていない場合には、特別遊技状態発生処理を終了し、上記通常処理に戻る。
【０２２２】
なお、本実施の形態では、通常、遊技球振分け機構４０２へ導かれた遊技球が第３収容部４２３に収容される確率は１／１０である。しかし、上記特別遊技状態が発生して上記遊技球停留処理が行われることにより、初めに導かれてきた遊技球が第１収容部４２１に収容され停留した場合には、次に導かれてきた遊技球が第３収容部４２３に収容される確率は１／９となる。このように、第３収容部４２３に遊技球が収容されないまま、遊技球振分け機構４０２へ次々に遊技球が導かれ、第１収容部４２３に収容され停留されていったとすると、第３収容部４２３に遊技球が収容される確率は、第１収容部４２１に停留している遊技球の数に応じて高くなる。なお、第２収容部４２２には遊技球が停留されないため、第３収容部４２３に収容される確率は最大で１／２となる。
【０２２３】
次に、払出制御装置３１１内のＣＰＵ５１１により実行される払出制御について説明する。図３４は、払出制御装置３１１のメイン処理を示すフローチャートであり、このメイン処理は電源投入時のリセットに伴い起動される。
【０２２４】
先ず始めに、ステップＳ９０１では、電源投入に伴う初期設定処理を実行する。具体的には、スタックポインタに予め決められた所定値を設定すると共に、割込みモードを設定する。また、ステップＳ９０２では、主制御装置２６１から送信される払出許可コマンドを受信するまで待機する。そして、払出許可コマンドを受信した時点でステップＳ９０３に進んでＲＡＭアクセスを許可すると共に、ステップＳ９０４で外部割込みベクタの設定を行う。
【０２２５】
その後、ＣＰＵ５１１内のＲＡＭ５１３に関してデータバックアップの処理を実行する。つまり、ステップＳ９０５では、電源装置３１３に設けたＲＡＭ消去スイッチ３２３が押下（ＯＮ）されているか否かを判別し、続くステップＳ９０６では、ＲＡＭ５１３のバックアップエリア５１３ａに電源断の発生情報が設定されているか否かを判別する。また、ステップＳ９０７ではＲＡＭ判定値を算出し、続くステップＳ９０８では、そのＲＡＭ判定値が電源断時に保存したＲＡＭ判定値と一致するか否か、すなわちバックアップの有効性を判別する。ＲＡＭ判定値は、例えばＲＡＭ５１３の作業領域アドレスにおけるチェックサム値である。なお、ＲＡＭ５１３の所定のエリアに書き込まれたキーワードが正しく保存されているか否かによりバックアップの有効性を判断することも可能である。
【０２２６】
ＲＡＭ消去スイッチ３２３がＯＮされていれば、ＲＡＭの初期化処理（ステップＳ９１５等）に移行する。また、電源断の発生情報が設定されていない場合や、ＲＡＭ判定値（チェックサム値等）によりバックアップの異常が確認された場合も同様にＲＡＭ５１３の初期化処理（ステップＳ９１５等）に移行する。つまり、ステップＳ９１５ではＲＡＭ５１３の全領域を０にクリアし、続くステップＳ９１６ではＲＡＭ５１３の初期化処理を実行する。また、ステップＳ９１７ではＣＰＵ周辺デバイスの初期設定を行うと共に、ステップＳ９１８では割込み許可を設定し、後述する払出制御処理に移行する。
【０２２７】
一方、ＲＡＭ消去スイッチ３２３が押されていない場合には、電源断の発生情報が設定されていること、及びＲＡＭ判定値（チェックサム値等）が正常であることを条件に、復電時の処理（電源断復旧時の処理）を実行する。つまり、ステップＳ９０９では、電源断前のスタックポインタを復帰させ、ステップＳ９１０では、電源断の発生情報をクリアする。また、ステップＳ９１１では、ＣＰＵ周辺デバイスの初期設定を行い、ステップＳ９１２では、使用レジスタをＲＡＭ５１３のバックアップエリア５１３ａから復帰させる。さらに、ステップＳ９１３，Ｓ９１４では、割込み許可／不許可を電源断前の状態に復帰させた後、電源断前の番地へ戻る。
【０２２８】
次に、払出制御処理の流れを図３５のフローチャートを参照しながら説明する。
【０２２９】
図３５において、ステップＳ１００１では、主制御装置２６１からのコマンドを取得し、賞球の総賞球個数を記憶する。ステップＳ１００２では、発射制御装置３１２に対して発射許可の設定を行う。また、ステップＳ１００３では、状態復帰スイッチ３２１をチェックして、状態復帰動作開始と判定した場合に状態復帰動作を実行する。
【０２３０】
その後、ステップＳ１００４では、下皿１５の状態の変化に応じて下皿満タン状態又は下皿満タン解除状態の設定を実行する。すなわち、下皿満タンスイッチの検出信号により下皿１５の満タン状態を判別し、下皿満タンになった時、下皿満タン状態の設定を実行し、下皿満タンでなくなった時、下皿満タン解除状態の設定を実行する。また、ステップＳ１００５では、タンク球の状態の変化に応じてタンク球無し状態又はタンク球無し解除状態の設定を実行する。すなわち、タンク球無しスイッチの検出信号によりタンク球無し状態を判別し、タンク球無しになった特、タンク球無し状態の設定を実行し、タンク球無しでなくなった時、タンク球無し解除状態の設定を実行する。
【０２３１】
その後、ステップＳ１００６では、報知する状態の有無を判別し、報知する状態が有る場合には払出制御装置３１１に設けた７セグメントＬＥＤにより報知する。
【０２３２】
ステップＳ１００７〜Ｓ１００９では、賞球払出の処理を実行する。この場合、賞球の払出不可状態でなく、且つ前記ステップＳ１００１で記憶した総賞球個数が０でなければ（ステップＳ１００７，Ｓ１００８が共にＮＯ）、ステップＳ１００９に進み、賞球制御処理（後述する図３６）を開始する。また、賞球の払出不可状態、又は総賞球個数が０であれば」（ステップＳ１００７，Ｓ１００８の何れかがＹＥＳ）、貸球払出の処理に移行する。
【０２３３】
その後、ステップＳ１０１０〜Ｓ１０１２では、貸球払出の処理を実行する。この場合、貸球の払出不可状態でなく、且つカードユニットからの貸球払出要求を受信していれば（ステップＳ１０１０がＮＯ、Ｓ１０１１がＹＥＳ）、ステップＳ１０１２に進み、貸球制御処理（後述する図３７）を開始する。また、貸球の払出不可状態、又は貸球払出要求を受信していなければ（ステップＳ１０１０がＹＥＳ又はＳ１０１１がＮＯ）、後続の球抜きの処理を実行する。
【０２３４】
ステップＳ１０１３では、状態復帰スイッチ３２１をチェックして球抜き不可状態でないこと、及び球抜き動作開始でないことを条件に、払出モータ３５８ａを駆動させ球抜き処理を実行する。続くステップＳ１０１４では、球詰まり状態であることを条件にバイブレータ３６０の制御（バイブモータ制御）を実行する。その後、本払出制御処理の先頭に戻る。
【０２３５】
ここで、図３６に示す賞球制御処理において、ステップＳ１１０１では、払出モータ３５８ａを駆動させて賞球の払出を実行する。続くステップＳ１１０２では、払出モータ３５８ａの回転が正常であるかを払出回転センサの検出結果により判別する。払出モータ３５８ａの回転が正常でなければ、ステップＳ１１０３に進み、払出モータ３５８ａを駆動させてリトライ処理を実行すると共に払出モータ３５８ａの停止処理を実行し、その後、図３５の払出制御処理に戻る。
【０２３６】
また、払出モータ３５８ａの回転が正常であれば、ステップＳ１１０４に進み、遊技球のカウントが正常に行われているか否かを払出カウントスイッチの検出結果により判別する。遊技球のカウントが正常でなければ、ステップＳ１１０５に進み、払出モータ３５８ａを駆動させてリトライ処理を実行すると共に払出モータ３５８ａの停止処理を実行し、その後、図３５の払出制御処理に戻る。
【０２３７】
さらに、遊技球のカウントが正常であれば、ステップＳ１１０６に進み、払出カウントスイッチによる遊技球のカウント数が総賞球個数に達して払出が完了したか否かを判別する。払出が完了していれば、ステップＳ１１０７で払出モータ３５８ａの停止処理を実行し、その後、図３５の払出制御処理に戻る。
【０２３８】
また、図３７に示す貸球制御処理において、ステップＳ１２０１では、払出モータ３５８ａを駆動させて貸球の払出を実行する。続くステップＳ１２０２では、払出モータ３５８ａの回転が正常であるかを払出回転センサの検出結果により判別する。払出モータ３５８ａの回転が正常でなければ、ステップＳ１２０３に進み、払出モータ３５８ａを駆動させてリトライ処理を実行すると共に払出モータ３５８ａの停止処理を実行し、その後、図３５の払出制御処理に戻る。
【０２３９】
また、払出モータ３５８ａの回転が正常であれば、ステップＳ１２０４に進み、遊技球のカウントが正常に行われているか否かを払出カウントスイッチの検出結果により判別する。遊技球のカウントが正常でなければ、ステップＳ１２０５に進み、払出モータ３５８ａを駆動させてリトライ処理を実行すると共に払出モータ３５８ａの停止処理を実行し、その後、図３５の払出制御処理に戻る。
【０２４０】
さらに、遊技球のカウントが正常であれば、ステップＳ１２０６に進み、払出カウントスイッチによる遊技球のカウント数が所定の貸球個数（２５個）に達して払出が完了したか否かを判別する。払出が完了していれば、ステップＳ１２０７で払出モータ３５８ａの停止処理を実行し、その後、図３５の払出制御処理に戻る。
【０２４１】
以上詳述したように、回転体４６６が第１停止位置で停止し、一対の羽根４５５が閉位置にある場合には、第１球受片４６６ｂ及び第２球受片４６６ｃが第２可変入賞装置３５内（球案内通路）を通過する遊技球と接触不能な位置に配置され、一対の羽根４５５間を通って入賞した遊技球が接触部に接触することなく、第２可変入賞装置３５内を通過し、回転体４６６が回動することなく第１停止位置で停止した状態を維持し、一対の羽根４５５が閉位置にある状態を維持する。
【０２４２】
従って、第２可変入賞装置３５は、閉状態において、可変部材４６７の球受部４６７ｂに対して、可変入賞装置ユニット３２の特定領域へ入賞した遊技球が接触することにより直接的に外力が加えられ、又は、前記特定領域へ入賞した遊技球が接触することにより作動する所定の駆動機構Ｙ１によって間接的に外力が加えられた場合に限り、開状態となる。つまり、第２可変入賞装置３５自身への遊技球の入賞によっては閉状態から開状態とならず、第２可変入賞装置３５は、閉状態において自身へ遊技球が入賞した場合には、閉状態を維持する。また、第２可変入賞装置３５は、一旦開状態となった後、２つの遊技球が入球するまで開状態を維持する。
【０２４３】
このように、第２可変入賞装置３５が、開状態において、２つの遊技球が入賞することにより閉状態となるよう構成されている場合においては、仮に第２可変入賞装置３５の開状態において当該第２可変入賞装置３５へ２つ以上（例えば３つ）の遊技球が連続して入球してしまったとしても、再び開状態となってしまうといった不具合を防止することができる。結果として、遊技機メーカーが意図した、遊技球の入賞と所定の遊技価値（賞球）の付与とのバランスがくずれにくくなる。
【０２４４】
さらに、第２可変入賞装置３５は、遊技球の作用等によって回動する回転体４６６によって、機械的に作動し開閉するようになっている。従って、ソレノイド等の電気的駆動手段を使用して開閉制御する場合に比べて、生産コストや電力消費量の増大を抑制することができる。加えて、本実施形態では、２つの遊技球が入球するまで第２可変入賞装置３５が開状態を維持する構成であるが、第２可変入賞装置３５の開放時間の長期化によるソレノイド等の焼付き等の不具合が発生することはない。ひいては、第２可変入賞装置３５が開状態となったにも関わらず、所定時間経過後、１つも遊技球が入球せずに閉状態となってしまい、遊技者が遊技価値を得ることができない等といった不具合を抑制することもできる。
【０２４５】
また、回転体４６６が突起部４６６ｅを備えていることにより、回転体４６６が第１停止位置から第２停止位置に向けて回動する際には、突起部４６６ｅが板バネ４８０に係止されるため、回転体４６６が第２停止位置に停止せずに、例えば第３停止位置まで過剰に回動してしまうことを防止することができる。
【０２４６】
尚、上記実施の形態の記載内容に限定されず、例えば次のように実施してもよい。
【０２４７】
（ａ）上記実施形態では、可変手段としての１つの可変部材４６７により、回転体４６６を回動させるように構成されている。これに限らず、可変手段が、連動して動く複数の可変部材より構成されていてもよい。同様に、停止手段も板バネ４８０に限られるものではない。
【０２４８】
（ｂ）上記実施形態における第２可変入賞装置３５は、第１球受片４６６ｂと第２球受片４６６ｃの２つの球受片を約１２０度間隔で備えた回転体４６６によって、２つの遊技球が入賞するまで開状態を維持するように構成されている。これに限らず、球受片を３つ以上備えて、３つ以上の遊技球が入賞するまで開状態を維持する構成としてもよい。例えば、５つの球受片が約３０度間隔で配置されるとともに、外周部の周方向において３０度の２倍である６０度間隔の球受片の非配置区間を有する回転体を備え、５つの遊技球が入賞するまで開状態を維持するように、羽根４５５の開閉を制御する構成としてもよい。もちろん、球受片を１つとし、１つの遊技球が入賞すると閉状態となる構成としてもよい。
【０２４９】
（ｃ）上記実施形態では、回転体４６６が羽根４５５の回動を規制しており、その規制が解除されることにより、羽根４５５が自重により開位置へと回動変位するよう構成されている。これに限らず、回転体４６６が羽根４５５を操作し、開位置としたり、閉位置としたりするような構成としてもよい。
【０２５０】
（ｄ）上記実施形態では、羽根４５５の本体部より通過孔４５２を介して後方へ突出した突起部４６２に、回転体４６６の係止片４６６ｄが当接し、羽根４５５の回動を規制する構成となっている。これに限らず、回転体４６６の係止片４６６ｄの先端部が通過孔４５２を介して当該通過孔４５２より前方へ突出して羽根４５５の本体部自身に当接し、羽根４５５の回動を規制する構成を採用してもよい。
【０２５１】
（ｅ）上記実施形態とは異なるタイプのパチンコ機等として実施してもよい。例えば、特定入賞手段として、第２可変入賞装置３５と同様の構成を有する入賞装置を備え、当該入賞装置に遊技球が入球することにより、上記第２可変入賞装置３５が開状態となるパチンコ機として実施してもよい。また、パチンコ機以外にも、アレンジボール機や、それに類する雀球等の各種遊技機として実施することも可能である。
【図面の簡単な説明】
【０２５２】
【図１】一実施の形態におけるパチンコ機を示す正面図である。
【図２】前面枠セットを開放した状態のパチンコ機を示す斜視図である。
【図３】前面枠セットを開放した状態における内枠等を示す正面図である。
【図４】遊技盤の構成を示す正面図である。
【図５】前面枠セットの構成を示す背面図である。
【図６】パチンコ機の構成を示す背面図である。
【図７】パチンコ機裏面における第１制御基板ユニット、第２制御基板ユニット及び裏パックユニットの配置を示す模式図である。
【図８】内枠及び遊技盤の構成を示す背面図である。
【図９】内枠の背面構成を示す斜視図である。
【図１０】支持金具の構成を示す斜視図である。
【図１１】第１制御基板ユニットの構成を示す正面図である。
【図１２】第１制御基板ユニットの構成を示す斜視図である。
【図１３】第１制御基板ユニットの分解斜視図である。
【図１４】第１制御基板ユニットの背面構成を示す分解斜視図である。
【図１５】第２制御基板ユニットの構成を示す正面図である。
【図１６】第２制御基板ユニットの構成を示す斜視図である。
【図１７】第２制御基板ユニットの分解斜視図である。
【図１８】裏パックユニットの構成を示す正面図である。
【図１９】裏パックユニットの分解斜視図である。
【図２０】タンクレールの分解斜視図である。
【図２１】可変入賞装置ユニットの正面図である。
【図２２】遊技球振分け機構の斜視図である。
【図２３】遊技球振分け機構の一部を示す分解斜視図である。
【図２４】（ａ）は閉状態にある第２可変入賞装置の正面図であり、（ｂ）は開状態にある第２可変入賞装置の正面図である。
【図２５】（ａ）は閉状態にある第２可変入賞装置の平面図であり、（ｂ）は開状態にある第２可変入賞装置の平面図である。
【図２６】（ａ）は閉状態にある第２可変入賞装置の斜視図であり、（ｂ）は閉状態にある第２可変入賞装置の断面図であり、（ｃ）は第１停止位置にある状態の回転体を示す斜視図である。
【図２７】（ａ）は回転体が第２停止位置にある場合の開状態にある第２可変入賞装置の斜視図であり、（ｂ）は回転体が第２停止位置にある場合の開状態にある第２可変入賞装置の断面図であり、（ｃ）は第２停止位置にある状態の回転体を示す斜視図である。
【図２８】（ａ）は回転体が第３停止位置にある場合の開状態にある第２可変入賞装置の斜視図であり、（ｂ）は回転体が第３停止位置にある場合の開状態にある第２可変入賞装置の断面図であり、（ｃ）は第３停止位置にある状態の回転体を示す斜視図である。
【図２９】パチンコ機の電気的構成を示すブロック図である。
【図３０】主制御装置におけるメイン処理を説明するためのフローチャート図である。
【図３１】ＮＭＩ割込み処理を説明するためのフローチャート図である。
【図３２】通常処理を説明するためのフローチャート図である。
【図３３】特別遊技状態発生処理を説明するためのフローチャート図である。
【図３４】払出制御装置におけるメイン処理を説明するためのフローチャート図である。
【図３５】払出制御処理を説明するためのフローチャート図である。
【図３６】賞球制御処理を説明するためのフローチャート図である。
【図３７】貸球制御処理を説明するためのフローチャート図である。
【符号の説明】
【０２５３】
１０…遊技機としてのパチンコ機、３０…遊技盤、３２…可変入賞装置ユニット、３５ａ，３５ｂ，３５ｃ…可変入賞手段としての第２可変入賞装置、２２８…発射手段を構成するセットハンドル、２２９…発射手段を構成する発射モータ、４５１…基部としての台板、４５２…開口部としての通過孔、４５３ａ…誘導片、４５５…開閉部材としての羽根、４５５ａ…内側面、４６３ａ…球導入口、４６４…球通路、４６４ａ…誘導片、４６６…回転体、４６６ｂ…接触部としての第１球受片、４６６ｃ…接触部（特定の接触部）としての第２球受片、４６６ｄ…規制部としての係止片、４６７…可変手段としての可変部材、４６７ｂ…被作用部としての球受部、４６７ｃ…作用部、４７５…規制手段としての規制部材、４７５ｂ…被作用部としての球受部、４７５ｃ…係止部、４８０…停止手段としての板バネ、Ｗ，ｗ…幅（開口）、Ｙ１…駆動手段としての駆動機構、Ｙ２…球通路。
【図１】
2005334211.tif 000003
【図２】
2005334211.tif 000004
【図３】
2005334211.tif 000005
【図４】
2005334211.tif 000006
【図５】
2005334211.tif 000007
【図６】
2005334211.tif 000008
【図７】
2005334211.tif 000009
【図８】
2005334211.tif 000010
【図９】
2005334211.tif 000011
【図１０】
2005334211.tif 000012
【図１１】
2005334211.tif 000013
【図１２】
2005334211.tif 000014
【図１３】
2005334211.tif 000015
【図１４】
2005334211.tif 000016
【図１５】
2005334211.tif 000017
【図１６】
2005334211.tif 000018
【図１７】
2005334211.tif 000019
【図１８】
2005334211.tif 000020
【図１９】
2005334211.tif 000021
【図２０】
2005334211.tif 000022
【図２１】
2005334211.tif 000023
【図２２】
2005334211.tif 000024
【図２３】
2005334211.tif 000025
【図２４】
2005334211.tif 000026
【図２５】
2005334211.tif 000027
【図２６】
2005334211.tif 000028
【図２７】
2005334211.tif 000029
【図２８】
2005334211.tif 000030
【図２９】
2005334211.tif 000031
【図３０】
2005334211.tif 000032
【図３１】
2005334211.tif 000033
【図３２】
2005334211.tif 000034
【図３３】
2005334211.tif 000035
【図３４】
2005334211.tif 000036
【図３５】
2005334211.tif 000037
【図３６】
2005334211.tif 000038
【図３７】
2005334211.tif 000039